(57)【特許請求の範囲】
【請求項１】
基材上の少なくとも一部に、第１の不可視画像及び第２の不可視画像を有するユニットが配置された偽造防止印刷物であって、
前記ユニットは一定のピッチで複数マトリックス状に配置されており、各々の前記ユニットは長手方向が第１の方向に沿って配置された第１の画線と、長手方向が前記第１の方向に沿って、前記第１の画線と異なる位置に配置された第２の画線と、前記第１の方向と異なる第２の方向に沿って長手方向が配置された第３の画線と、長手方向が前記第２の方向とは異なる第３の方向に沿って配置された第４の画線とを有し、
前記第３の画線及び前記第４の画線の少なくとも一方の画線が盛り上がりを有し、
各々の前記ユニットにおいて、前記第１の画線及び前記第２の画線は一方がポジの場合、他方はネガの関係にあり、前記第３の画線及び前記第４の画線は一方がポジの場合、他方はネガの関係にあり、
前記複数配置されたユニットにおいて、前記第１の画線同士、前記第２の画線同士、前記第３の画線同士及び前記第４の画線同士のピッチは、全て前記一定のピッチで配置され、
前記第１の画線、前記第２の画線、前記第３の画線及び前記第４の画線によって印刷模様が形成され、
前記印刷模様に判別具を重ねた場合に前記第１の画線により前記第１の不可視画像のポジ画像又はネガ画像の一方が視認され、前記第２の画線により前記第１の不可視画像のポジ画像又はネガ画像の他方が視認され、前記基材を傾けて観察した場合に前記第３の画線により前記第２の不可視画像のポジ画像又はネガ画像の一方が視認され、前記第４の画線により前記第２の不可視画像のポジ画像又はネガ画像の他方が視認されることを特徴とする偽造防止印刷物。
【請求項２】
前記印刷模様は、前記ユニット内に第３の不可視画像を更に有し、
前記ユニットは、前記第１の方向と異なる第４の方向に沿って長手方向が配置された第５の画線と、長手方向が前記第４の方向に沿って、前記第５の画線と異なる位置に配置された第６の画線とを有し、
前記複数配置されたユニットにおいて、前記第５の画線同士及び前記第６の画線同士のピッチは、全て前記一定のピッチで配置され、
前記第１の画線、前記第２の画線、前記第３の画線、前記第４の画線、前記第５の画線及び前記第６の画線によって印刷模様が形成され、
前記印刷模様に判別具を重ねた場合に前記第５の画線により前記第３の不可視画像のポジ画像又はネガ画像の一方が視認され、前記第６の画線により前記第３の不可視画像のポジ画像又はネガ画像の他方が視認されることを特徴とする請求項１記載の偽造防止印刷物。
【請求項３】
前記第１の画線と前記第２の画線の面積は同一であり、前記第３の画線及び前記第４の画線の面積は同一であることを特徴とする請求項１記載の偽造防止印刷物。
【請求項４】
前記第５の画線及び前記第６の画線の面積は同一であることを特徴とする請求項２記載の偽造防止印刷物。
【請求項５】
前記第２の方向及び前記第３の方向の角度差は、４５度〜１３５度の範囲内であることを特徴とする請求項１乃至３いずれか一項記載の偽造防止印刷物。
【請求項６】
前記第１の方向及び前記第４の方向の角度差は、４５度〜１３５度の範囲内であることを特徴とする請求項２又は請求項４に記載の偽造防止印刷物。
【請求項７】
前記印刷模様は、前記第３の画線及び前記第４の画線の少なくとも一方の画線の太細で階調を有することを特徴とする請求項１乃至６いずれか一項記載の偽造防止印刷物。
【発明の詳細な説明】
【技術分野】
【０００１】
本発明は、銀行券、株券、債券等の有価証券、各種証明書、重要書類等の偽造防止又は複製防止が必要とされる偽造防止印刷物に関するものである。
【背景技術】
【０００２】
従来、銀行券、株券、債券等の有価証券、各種証明書、重要書類等では、真正物か偽造物であるかを真偽判別するための技術として、偽造防止技術を盛り込むことが求められている。偽造防止技術の一例としては、インキの盛り高さを有する画線によってカラーコピー機等を用いた複写を防止する凹版印刷や、それを用いた潜像凹版技術等が代表的である（例えば、特許文献１参照）。
【０００３】
この潜像凹版は、インキの盛り高さを有する画線を用いることで効果を奏するものであり、例えば、図１の印刷物１’に示すように、印刷模様２’の潜像部を成す画線２ａ’と背景部を成す画線２ｂ’が、９０度の差異を持った二方向の万線状の画線群によって、同一の画線幅及び画線ピッチで配置されている。
【０００４】
この印刷模様２’を正面（鉛直方向）から観察した場合、画線２ａ’と画線２ｂ’は、同一の画線幅及び画線ピッチで配置されているため、一様の濃度として観察されることから、施されている潜像模様「Ｐ」を容易に認識することができない。一方、図２に示すように、印刷物を傾けて観察すると、画線２ｂ’は、印刷物１’を傾ける角度に対して直交する方向に配列されていることから、インキの盛り高さを有する画線によって各々の非画線部が隠蔽され、高濃度となるが、画線２ａ’は、印刷物を傾ける方向に沿って配列されていることから、印刷物を傾けても各々の非画線部の濃度は変化しない。これにより、潜像模様「Ｐ」が顕像となって出現する。
【０００５】
また、他の潜像凹版技術として、二方向の万線状の画線群ではなく、インキの盛り高さを部分的に異ならせることで潜像部と背景部を形成することもできる。
【０００６】
また、その他の偽造防止技術として、透明のフィルムに規則的な万線パターンが形成された万線フィルタや、レンチキュラーレンズ等の判別具を印刷物に重ねることで、不可視画像が出現する技術がある。
【０００７】
この判別具を重ねることで不可視画像が出現する技術として、本出願人は、印刷物を目視で観察した場合に視認される可視画像と、判別具を重ねた場合に視認される（出現する）不可視画像がスイッチする印刷物について出願している（例えば、特許文献２参照）。
【０００８】
特許文献２の印刷物は、中心を境に対向するように配置されたポジとネガの関係にある第１のユニットが、一定の方向に沿って規則的に複数配列されて第１の不可視画像を形成し、同様の関係にある第２のユニットが、同様の構成で複数配列されて第２の不可視画像を形成し、第１のユニット及び第２のユニットは、同一領域上に異なる角度で配置されており、かつ、各ユニットの一部に重複する位置に可視画像を形成する第３のユニットが配置されたものである。特許文献２の技術は、目視では可視画像のみが視認され、判別具を重ねることによって、第１のユニットから第１の不可視画像のポジ画像又はネガ画像が出現し、第２のユニットから第２の不可視画像のポジ画像又はネガ画像が出現するものである。
【０００９】
特許文献２の印刷物の具体例を示す。図３に示されたように、印刷物１’に判別具３’を重ね合わせることにより、容易に不可視画像を発現させて真偽性を判別することができるものである。判別具３’は、透明性を有するフィルタに複数の直線が万線状に一方向に沿って形成された万線フィルタ又はレンチキュラーレンズ等である。印刷物１’の印刷模様２’を通常の可視条件において目視により観察すると、図４に示されたように、任意の図形及び文字等から成る模様４’と、任意の図形及び文字から成る模様５’とが視認される。図４に示された模様４’と模様５’とは重畳するような配置となっており、これに限らず様々なデザイン表現を施すことができる。そして、印刷物１’上に判別具３’を所定の角度（これを０度とする）を持って重ね合わせると、図５（ａ）又は図５（ｂ）に示されたような第１の不可視画像６’が可視画像となって発現する。また、印刷物１’上に判別具３’を所定の角度に対して９０度を成す角度を持って重ね合わせると、図６（ａ）又は図６（ｂ）に示されたような第２の不可視画像７’が可視画像となって発現する。図５（ａ）又は図５（ｂ）及び図６（ａ）又は図６（ｂ）に示されるようにネガポジ状のどちらかに見えるのは、判別具３’と印刷物１’との間の相対的な位置によって生ずるものであり、本発明の効果の範囲内である。
【００１０】
図７（ａ）に、背景技術における印刷物に対する印刷模様の一画線の構成を部分的に拡大して示す。印刷模様は複数のユニットがマトリックス状に配置される。ここで、ユニットの縦横の寸法Ｓは、例えば、３４０μｍというように１ｍｍ以下の大きさである。ユニット内には画線が配置される。各画線は、少なくとも三つ以上のユニットを備えている。画線Ａと画線Ａ’とは、対を成しており、相互にネガポジの関係にある。画線Ａと画線Ａ’はユニット内に配置され、画線Ａの長手方向が第１の方向に沿って配置され、画線Ａ’は、画線Ａと異なる位置の長手方向が画線Ａと同様の第１の方向に沿って配置される。ここで言う、長手方向とは画線が長い方向を指す。短辺方向は画線が短い方向を指す。このネガポジの関係とは、例えば、一方が黒（オン）のときは他方は白（オフ）、一方が有着色のときは他方は無着色であり、双方ともに黒又は双方ともに白であることがないということである。そして、画線Ａと画線Ａ’とは、面積が同一である。このような画線Ａと画線Ａ’とが存在することで通常の可視条件下では視認されず、画線Ａのみにより第１の不可視画像（ネガ又はポジ）、画線Ａ’のみにより第１の不可視画像（ポジ又はネガ）がそれぞれ形成されている。
【００１１】
同様に、画線Ｂと画線Ｂ’とは、対を成してネガポジの関係にあり、かつ、面積が同一である。画線Ｂと画線Ｂ’はユニット内に配置され、画線Ｂの長手方向が画線Ａ及び画線Ａ’の画線が配置される第１の方向とは異なる第２の方向に沿って配置され、画線Ｂ’は、画線Ｂと異なる位置の長手方向が第２の方向とは異なる方向の第３の方向に沿って配置される。ここで言う、長手方向とは画線が長い方向を指す。短辺方向は画線が短い方向を指す。画線Ｂのみにより第２の不可視画像（ネガ又はポジ）、画線Ｂ’のみにより第２の不可視画像（ポジ又はネガ）がそれぞれ形成されている。
【００１２】
画線Ｄと画線Ｅは、可視画像（デザイン：模様）を構成するものであり、通常の視認状態において肉眼で視認される任意の図形及び文字等から成る模様を構成する。
【００１３】
図７（ｂ）〜（ｇ）は、図７（ａ）の画線Ａ、画線Ａ’、画線Ｂ、画線Ｂ’、画線Ｄ、画線Ｅの各画線を個別に分けて示されている。この画線の組合せを図８（ａ）〜（ｄ）に示されている。図８に示された画線の組合せ（ａ）〜（ｄ）を具体的に図９（ａ）〜（ｄ）に画線の組合せとして示されている。この画線の組合せを一画線の構成とし、印刷物上にマトリックス状に隙間なく、連続的かつ規則的に配置することにより、印刷模様２’に施されている不可視画像（任意の図形及び文字等）が形成されている。
【００１４】
ここで、可視画像とは、通常の可視光のもとで目視により視認され得る画像であり、不可視画像とは、通常の可視光のもとで目視により視認され得ない、あるいは極めて視認され難い画像である。
【００１５】
図７（ａ）に示された画線Ａと画線Ａ’、画線Ｂと画線Ｂ’に関し、縦横の長さがＳである四角形内において、縦軸方向に図形の画線Ａと画線Ａ’とを縦の長さＳの４分の１の長さ程度で横の長さＳの３分の２の長さ程度をそれぞれ持って配置し、横軸方向に図形の画線Ｂと画線Ｂ’とを横の長さＳの４分の１の長さ程度で縦の長さＳの３分の２の長さ程度をそれぞれ持って配置されている。さらに、四角形の四隅付近に半径の長さが長さＳの４分の１の長さ程度の画線Ｄの中心が来るように、それぞれ持って配置されている。さらに、四角形の中心付近に直径の長さが長さＳの４分の１の長さ程度の画線Ｅが来るように、配置されている。
【００１６】
このような構成を有する画線を印刷物上にマトリクス状に隙間なく、連続的かつ規則的に配置すると図１０のようである。この図１０は、印刷物に印刷された印刷模様２’を構成するマトリクス状に配置された複数の画線を、第１の不可視画像、第２の不可視画像及び第１の可視画像、第２の可視画像のそれぞれの構成が分かるように簡易的に示した模式図である。印刷模様２’において、画線Ａの総画線面積と画線Ａ’の総画線面積とが等しく、それぞれ対になっているもの同士がネガポジの関係にあることによって、第１の不可視画像が通常の目視では不可視の状態になっている。同様に、画線Ｂと画線Ｂ’により構成される第２の不可視画像が不可視の状態になっている。
【００１７】
この状態で、図１１に示されたように、例えば、レンチキュラーレンズから成る判別具３’を印刷物１’上の印刷模様２’に重ね合わせ、正面から目視で観察することによって、印刷模様２’に施されている不可視画像を可視画像として発現させることができる。なお、背景技術では、長さＳが３４０μｍで、印刷模様２’がオフセット印刷によりコート紙に印刷されている。しかし、長さＳ、印刷物の基材、印刷方法、印刷材料、印刷装置等について何ら限定するものでない。
【００１８】
通常の目視では、可視画像が視認されるが、不可視画像は、視認されない。判別具を印刷模様上の所定の位置に重ね合わせると、それまで視認されていた可視画像が全く確認できなくなり、逆に不可視画像が視認されるようになる。このような背景技術による印刷物における画像のスイッチ効果の原理について、以下に説明する。
【００１９】
可視画像が視認され不可視画像が視認されていないとき、その可視画像を構成しているのは画線Ｄと画線Ｅであり、その背景一面を構成しているのが不可視画像を構成する画線Ａ又はＡ’及び画線Ｂ又はＢ’である。画線Ａ及び画線Ａ’、画線Ｂ及びＢ’はそれぞれネガポジの関係にあるとともに面積が同一であるため、画像（模様）として確認されることはない。
【００２０】
印刷物上の所定の位置に、判別具であるレンチキュラーレンズにおける各レンズの中心線が画線Ａの中心、すなわち図７（ａ）における線Ｌ１に一致するように載置する。この場合、画線Ａが拡大された状態となるため、画線Ａにより構成されている画像（模様）が確認できることとなる。その際、可視画像を構成していた画線Ｄと画線Ｅ及び不可視画像を構成している画線Ｂ及びＢ’は、拡大されている画線Ａよりも面積が相対的に小さくなる。さらに、画線Ｂ及びＢ’は、相互にネガポジの関係にある。これにより、画像としてではなく、一様な背景としてしか視認されないため、実際上には画像がスイッチすることとなる。画線Ａ’が拡大されるように縦軸方向に沿って判別具を移動させた場合、画線Ａにより視認された第１の不可視画像のネガポジが反転して視認される。また、判別具を９０度回転させ、レンチキュラーレンズの各レンズの中心線が図７（ａ）における線Ｌ３と一致するようにすることで、画線Ｂが拡大されるように判別具を載置した場合、更にこの状態から横軸方向に沿って画線Ｂ’が拡大されるように載置した場合にも、同様の原理で第２の不可視画像のネガポジが反転して視認される。
【００２１】
印刷模様２’に、所定の角度、より具体的には図７（ａ）における線Ｌ１と各レンズの中心線とが一致するように、レンチキュラーレンズから成る判別具３’を印刷物１’上の印刷模様２’に重ね合わせ、正面から目視で観察した状態を図１２に示す。レンチキュラーレンズの中心線８’が図７（ａ）における線Ｌ１と一致するように図１２（ａ）に示された位置にあるとき、中心線８’に位置するのは、画線Ａとなっている。レンチキュラーレンズの特性によって中心線８’に位置する画線Ａが膨張して見えるため、目視では図１２（ｂ）に示されたような図形の可視画像が発現する。また、レンチキュラーレンズの中心線８’が図７（ａ）における線Ｌ２と一致し、図１３（ａ）に示された位置にあるとき、中心線８’に位置するのは、画線Ａ’となっている。レンチキュラーレンズの特性によって中心線８’に位置する画線Ａ’が膨張して見えるため、目視では図１３（ｂ）に示されたような図形の可視画像が発現する。ここで、画線Ａと画線Ａ’とはネガポジの関係にある。よって、上述の図５（ａ）又は図５（ｂ）に示されたような第１の不可視画像がネガポジ状のどちらかに見える可視画像となって発現する。
【００２２】
図７（ａ）における線Ｌ２とレンチキュラーレンズの各レンズの中心線が図７（ａ）における線Ｌ３と一致するように、印刷模様２’に９０度の角度を持って判別具３’を印刷物１’上の印刷模様２’に重ね合わせ、正面から目視で観察した状態を図１４に示す。この場合、レンチキュラーレンズの中心線８’が図１４（ａ）に示された位置にあり、中心線８’に位置するのは画線Ｂとなっている。レンチキュラーレンズの特性によって中心線８’に位置する画線Ｂが膨張して見えるため、目視では図１４（ｂ）に示されたような図形の可視画像が発現する。また、レンチキュラーレンズの中心線８’が図７（ａ）における線Ｌ４と一致し、図１５（ａ）に示された位置にあるとき、中心線８’に位置するのは、画線Ｂ’となっている。レンチキュラーレンズの特性によって中心線８’に位置する画線Ｂ’が膨張して見えるため、目視では図１５（ｂ）に示されたような図形の可視画像が発現する。つまり、前述の図６（ａ）又は図６（ｂ）に示されたような第２の不可視画像が、ネガポジ状のどちらかに見える可視画像となって発現するものである。
【００２３】
なお、判別具を用いた第１、第２の不可視画像を判別する際において、画線Ｄと画線Ｅにより形成される可視画像は、ほとんど見えなく、あるいは見え難くなる。このため、第１の不可視画像及び第２の不可視画像が可視画像として発現したときに、これらの視認性を阻害することはない。
【００２４】
ここで判別具３’は、レンチキュラーレンズにかかわらず、例えば、万線フィルタであっても同様の効果が得られる。この万線フィルタの場合は、フィルタ上の万線に該当する部分が可視画像を構成する画線を隠蔽することで、不可視画像を構成する画線のみが確認できることとなるが、可視画像を完全には隠蔽することができずに若干視認されてしまうことがある。ただし、これによって従来の効果を損なうことはないため、簡易的に判別を行うには、万線フィルタを用いても十分である。
【００２５】
ところで、背景技術における印刷物１’の一画線の画線Ａ、Ａ’、Ｂ、Ｂ’は楕円の様な形状を有している。しかし、このような形状には限定されることはない。一画線が、少なくとも三つ以上のユニットを有し、画線Ａと画線Ａ’とが対を成してネガポジの関係にあり、かつ、面積が同一であって第１の不可視画像を構成し、画線Ｂと画線Ｂ’とが対を成してネガポジの関係にあり、かつ、面積が同一であって第２の不可視画像を構成し、更に画線Ｄと画線Ｅが第１の可視画像（デザイン：模様）、第２の可視画像として視認されるものであれば、画線の形状は何ら限定するものではない。また、第１の可視画像と第２の可視画像を形成されている画線Ｄと画線Ｅは、形成されなくても構わない。
【００２６】
また、本出願人は、前述した特許文献１の潜像凹版に、判別具を重ねることで不可視画像を出現させる二つ目の効果を合わせた印刷物について出願している（例えば、特許文献３参照）。
【００２７】
特許文献３の印刷物は、潜像凹版を形成する万線パターンに、インキの盛り高さが異なる潜像部と背景部を設けることで、印刷物を傾けて観察した場合に潜像模様を出現させ、さらに、潜像凹版の万線パターン以外の領域に、位相を変調した画線で不可視画像を形成することで、判別具を重ねた場合に不可視画像を出現させるものである。
【００２８】
さらに、本出願人は、前述した特許文献２の一画線の画線Ａ、Ａ’、Ｂ、Ｂ’、 Ｄ、Ｅに盛り高さを有し、潜像凹版の効果や判別具を重ねることで不可視画像を出現させる二つ目の効果を合わせた印刷物について出願している（例えば、特許文献４参照）。
【００２９】
特許文献４の印刷物は、基材上の少なくとも一部に、第１の不可視画像及び第２の不可視画像を有する画像領域が形成された偽造防止印刷物であって、画像領域は、複数のユニットが規則的にマトリックス状に配列され、複数配列された各々のユニットは、盛り高さを有する要素が第１の方向に沿ってユニットの中心を含む位置に配置された第１の要素と、第１の方向と異なる第２の方向に沿ってユニットの中心を含む位置に配置された第２の要素のいずれか一方が選択的に配置されたことで第１の不可視画像が形成され、第１の方向及び第２の方向と異なる第３の方向に沿ってユニットの中心を境に対向するように配置された第３の要素及び第４の要素によって第２の不可視画像が形成され、第３の要素及び第４の要素はポジとネガの関係にあり、面積率及び色が同一として配置され、第３の要素により第２の不可視画像のポジ画像又はネガ画像が形成され、第４の要素により第２の不可視画像のネガ画像又はポジ画像が形成されたことを特徴とする偽造防止印刷物である。
【先行技術文献】
【特許文献】
【００３０】
【特許文献１】特公昭５６−０１９２７３号公報
【特許文献２】特許第４６３５１６０号公報
【特許文献３】特許第４９３１２６５号公報
【特許文献４】特開２０１４−２０５２６０号公報
【発明の概要】
【発明が解決しようとする課題】
【００３１】
しかしながら、特許文献１の印刷物は、傾けて観察した場合、潜像部と背景部との互いの濃度差により潜像模様を視認することができるが、単純な濃度差のみによる真偽判別であるため、より高度な偽造防止技術が求められていた。
【００３２】
また、特許文献２の印刷物は、判別具によって不可視画像が出現する効果には優れているものの、印刷物をカラーコピー機等の複写機によって複写した場合、その複写物でも同様の効果を再現することから、複写に対する偽造防止効果が乏しいという課題が残されていた。
【００３３】
また、特許文献３の印刷物は、印刷物を傾けて観察した場合に視認される潜像模様と、判別具を重ねた場合に出現する不可視画像を備えているため、高度な偽造防止技術であるといえるが、画線の中でインキの盛り高さを部分的に異ならせることで潜像部と背景部を形成しているため、凹版版面、凹版インキ、印刷速度等の製造条件によっては、適正なインキの盛り高さを再現することが困難になるという、製造上の課題が残されていた。
【００３４】
また、特許文献４の印刷物は、印刷物を傾けて観察した場合に視認される潜像模様の画像が一つあり、判別具を重ねた場合に出現する不可視画像の模様の画像がもう一つある。しかし、この二つの画像を一つの判別具を重ねて観察した場合、一つの画像は視認することができるが、もう一つの画像は視認することができない。それは、二つの画像を視認するための判別具のピッチが異なるためである。すなわち、傾けて観察した場合に視認される潜像模様の画像と判別具を重ねた場合に出現する不可視画像の模様の画像を二つ視認するためには、二つの判別具が必要になる課題が残されていた。
【００３５】
さらに、特許文献４の印刷物は、可視画像領域と不可視画像領域を分けることによりユニット内に画線を形成する領域が少なくなり、判別具を重ねた場合に出現する不可視画像の模様の数量を増やすことができない課題が残されていた。
【００３６】
本発明は、前述の課題の解決を目的とするものであり、潜像凹版を形成する画線群の領域と判別具を重ねることで出現する不可視画像を形成する画線群の領域の両方を兼ね備えた偽造防止印刷物を提案するものである。
【課題を解決するための手段】
【００３７】
本発明の偽造防止印刷物は、基材上の少なくとも一部に、第１の不可視画像及び第２の不可視画像を有するユニットが配置された偽造防止印刷物であって、ユニットは一定のピッチで複数マトリックス状に配置されており、各々のユニットは長手方向が第１の方向に沿って配置された第１の画線と、長手方向が第１の方向に沿って、１の画線と異なる位置に配置された第２の画線と、第１の方向と異なる第２の方向に沿って長手方向が配置された第３の画線と、長手方向が第２の方向とは異なる第３の方向に沿って配置された第４の画線とを有し、第３の画線及び第４の画線の少なくとも一方の画線が盛り上がりを有し、各々のユニットにおいて、第１の画線及び第２の画線は一方がポジの場合、他方はネガの関係にあり、第３の画線及び第４の画線は一方がポジの場合、他方はネガの関係にあり、複数配置されたユニットにおいて、第１の画線同士、第２の画線同士、第３の画線同士及び第４の画線同士のピッチは、全て一定のピッチで配置され、第１の画線、第２の画線、第３の画線及び第４の画線によって印刷模様が形成され、印刷模様に判別具を重ねた場合に第１の画線により第１の不可視画像のポジ画像又はネガ画像の一方が視認され、第２の画線により第１の不可視画像のポジ画像又はネガ画像の他方が視認され、基材を傾けて観察した場合に第３の画線により第２の不可視画像のポジ画像又はネガ画像の一方が視認され、第４の画線により第２の不可視画像のポジ画像又はネガ画像の他方が視認されることを特徴とする。
【００３８】
本発明の偽造防止印刷物の印刷模様は、ユニット内に第３の不可視画像を更に有し、ユニットは、第１の方向と異なる第４の方向に沿って長手方向が配置された第５の画線と、長手方向が第４の方向に沿って、第５の画線と異なる位置に配置された第６の画線とを有し、複数配置されたユニットにおいて、第５の画線同士及び第６の画線同士のピッチは、全て一定のピッチで配置され、第１の画線、第２の画線、第３の画線、第４の画線、第５の画線及び第６の画線によって印刷模様が形成され、印刷模様に判別具を重ねた場合に第５の画線により第３の不可視画像のポジ画像又はネガ画像の一方が視認され、第６の画線により第３の不可視画像のポジ画像又はネガ画像の他方が視認されることを特徴とする。
【００３９】
本発明の偽造防止印刷物は、第１の画線と第２の画線の面積は同一であり、第３の画線及び第４の画線の面積は同一であることを特徴とする。
【００４０】
本発明の偽造防止印刷物は、第５の画線及び第６の画線の面積は同一であることを特徴とする。
【００４１】
本発明の偽造防止印刷物は、第２の方向及び第３の方向の角度差は、４５度〜１３５度の範囲内であることを特徴とする。
【００４２】
本発明の偽造防止印刷物は、第１の方向及び第４の方向の角度差は、４５度〜１３５度の範囲内であることを特徴とする。
【００４３】
本発明の偽造防止印刷物は、印刷模様は、第３の画線及び第４の画線の少なくとも一方の画線の太細で階調を有することを特徴とする。
【発明の効果】
【００４４】
本発明の偽造防止印刷物は、銀行券、株券、債券等の有価証券、各種証明書、重要書類等の印刷物において、該印刷物上の一部に備えられた第１の不可視画像と第２の不可視画像とが、それぞれ異なる真偽判別方法で出現する、すなわち、判別具を用いない場合と判別具を用いる場合とでそれぞれに異なる効果を付与することができることから、真偽判別する側に合わせた段階的で、高度な真偽判別手段を付与することができる。
【００４５】
第１の不可視画像は、画線構成によって、目視では第１の不可視画像が視認され難い状態となっていることから、判別具を持たない偽造者では、第１の不可視画像の存在自体を把握することが困難であり、容易に複製することができないという効果を奏する。
【００４６】
一方、第２の不可視画像は、正面から観察した場合における印刷物の意匠性を損なわないように形成されているが、印刷物を傾けて観察することで第２の不可視画像として出現する効果を有し、かつ、インキの盛り高さを有する画線が配置されていることから、指感性の有無によって真偽判別することができる。また、第２の不可視画像は、印刷物を傾けて観察することで第２の不可視画像として出現する効果と判別具を重ねることで出現する第２の不可視画像の効果の両方を兼ね備えた画線構成になっているため、判別具を持たない者でも容易に真偽判別ができる効果を奏する。
【００４７】
また、可視画像領域と不可視画像領域の両方を兼ね備えた画線構成により、判別具を重ねた場合に出現する不可視画像の模様の数量を増やせ、容易に複製することができないという効果を奏する。
【００４８】
さらに、前述した特許文献３のように、インキの盛り高さを異ならせることで、第１の不可視画像を形成する必要がないため、製造上の課題がなくなった。
【図面の簡単な説明】
【００４９】
【図１】背景技術である潜像凹版が施された印刷面を正面から観察した場合の説明図。
【図２】背景技術である潜像凹版が施された印刷面を傾けて観察した場合の説明図。
【図３】背景技術である印刷物と判別具とを示す斜視図。
【図４】背景技術である印刷物を目視により観察した時に視認される模様の一例を示す説明図。
【図５】背景技術である印刷物に所定の角度で判別具を重ね合わせた時に視認される模様の一例を示す説明図。
【図６】背景技術である印刷物に上記所定の角度と９０度を成す角度で判別具を重ね合わせた時に視認される模様の一例を示す説明図。
【図７】背景技術である印刷物における一画線の構成を示す説明図。
【図８】背景技術である印刷物における一画線の構成の組合せを示す説明図。
【図９】背景技術である印刷物における一画線の構成の組合せを具体的に示す説明図。
【図１０】背景技術である印刷物の一画線をマトリクス状に配置した様子を示す説明図。
【図１１】背景技術である印刷物上にレンチキュラーレンズを重ね合わせて目視で観察する様子を示す説明図。
【図１２】背景技術である印刷物において画線Ａ上に中心線が位置するようにレンチキュラーレンズを載置した状態、及びこのときに視認される画線を拡大して示す説明図。
【図１３】背景技術である印刷物において画線Ａ’上に中心線が位置するようにレンチキュラーレンズを載置した状態、及びこのときに視認される画線を拡大して示す説明図。
【図１４】背景技術である印刷物において画線Ｂ上に中心線が位置するようにレンチキュラーレンズを載置した状態、及びこのときに視認される画線を拡大して示す説明図。
【図１５】背景技術である印刷物において画線Ｂ’上に中心線が位置するようにレンチキュラーレンズを載置した状態、及びこのときに視認される画線を拡大して示す説明図。
【図１６】本発明の実施の形態１の印刷物を目視により観察した時に視認される模様の一例を示す説明図。
【図１７】実施の形態１の印刷物に所定の角度で判別具を重ね合わせた時に視認される模様の一例を示す説明図。
【図１８】実施の形態１の印刷物に上記所定の角度とその角度と９０度を成す角度で判別具を重ね合わせた時に視認される模様の一例を示す説明図。
【図１９】本発明の実施の形態１による印刷物における一画線の構成を示す説明図。
【図２０】実施の形態１による印刷物における一画線の構成の組合せを具体的に示す説明図。
【図２１】実施の形態１による印刷物の一画線をマトリクス状に配置した様子を示す説明図。
【図２２】実施の形態１による印刷物上にレンチキュラーレンズを重ね合わせて目視で観察する様子を示す説明図。
【図２３】実施の形態１による印刷物において画線Ａ上に中心線が位置するようにレンチキュラーレンズを載置した状態、及びこのときに視認される画線を拡大して示す説明図。
【図２４】実施の形態１による印刷物において画線Ａ’上に中心線が位置するようにレンチキュラーレンズを載置した状態、及びこのときに視認される画線を拡大して示す説明図。
【図２５】実施の形態１による印刷物において画線Ｂ上に中心線が位置するようにレンチキュラーレンズを載置した状態、及びこのときに視認される画線を拡大して示す説明図。
【図２６】実施の形態１による印刷物において画線Ｂ’上に中心線が位置するようにレンチキュラーレンズを載置した状態、及びこのときに視認される画線を拡大して示す説明図。
【図２７】実施の形態１による印刷物における画線Ａ、Ａ’の配置構成を具体的に示す説明図。
【図２８】実施の形態１による印刷物における画線Ｂ、Ｂ’の配置構成を具体的に示す説明図。
【図２９】実施の形態１による印刷物における画線Ａ、Ａ’、Ｂ、Ｂ’の構成を重ね合わせたことを示す説明図。
【図３０】実施の形態１による印刷物の画線の構成を一部拡大して示す説明図。
【図３１】実施の形態１による印刷物の画線の構成の立体図を示す説明図。
【図３２】実施の形態１の印刷物を傾けて目視により観察した時に視認される模様の一例を示す斜視図。
【図３３】実施の形態２の印刷物に所定の角度と９０度を成す角度で判別具を重ね合わせた時に視認される模様の一例を示す説明図。
【図３４】本発明の実施の形態２による印刷物における一画線の構成を示す説明図。
【図３５】本発明の実施の形態２による印刷物における一画線の構成の組合せを示す説明図。
【図３６】実施の形態２による印刷物における一画線の構成の組合せを具体的に示す説明図。
【図３７】実施の形態２による印刷物の一画線をマトリクス状に配置した様子を示す説明図。
【図３８】実施の形態２による印刷物上にレンチキュラーレンズを重ね合わせて目視で観察する様子を示す説明図。
【図３９】実施の形態２による印刷物において画線Ａ上に中心線が位置するようにレンチキュラーレンズを載置した状態、及びこのときに視認される画線を拡大して示す説明図。
【図４０】実施の形態２による印刷物において画線Ａ’上に中心線が位置するようにレンチキュラーレンズを載置した状態、及びこのときに視認される画線を拡大して示す説明図。
【図４１】実施の形態２による印刷物において画線Ｂ上に中心線が位置するようにレンチキュラーレンズを載置した状態、及びこのときに視認される画線を拡大して示す説明図。
【図４２】実施の形態２による印刷物において画線Ｂ’上に中心線が位置するようにレンチキュラーレンズを載置した状態、及びこのときに視認される画線を拡大して示す説明図。
【図４３】実施の形態２による印刷物において画線Ｃ上に中心線が位置するようにレンチキュラーレンズを載置した状態、及びこのときに視認される画線を拡大して示す説明図。
【図４４】実施の形態２による印刷物において画線Ｃ’上に中心線が位置するようにレンチキュラーレンズを載置した状態、及びこのときに視認される画線を拡大して示す説明図。
【図４５】実施の形態２による印刷物における画線Ｃ、Ｃ’の配置構成を具体的に示す説明図。
【図４６】実施の形態２による印刷物における画線Ａ、Ａ’、Ｂ、Ｂ’、Ｃ、Ｃ’の構成を重ね合わせたことを示す説明図。
【図４７】実施の形態２による印刷物の画線の構成を一部拡大して示す説明図。
【図４８】実施の形態２による印刷物の画線の構成の立体図を示す説明図。
【図４９】本発明の実施の形態３の印刷物を目視により観察した時に視認される模様の一例を示す説明図。
【図５０】本発明の実施の形態３による印刷物における一画線の構成を示す説明図。
【図５１】実施の形態３による印刷物における一画線の構成の組合せを具体的に示す説明図。
【図５２】実施の形態３による印刷物の一画線をマトリクス状に配置した様子を示す説明図。
【図５３】実施の形態３による印刷物上にレンチキュラーレンズを重ね合わせて目視で観察する様子を示す説明図。
【図５４】実施の形態３による印刷物において画線Ａ上に中心線が位置するようにレンチキュラーレンズを載置した状態、及びこのときに視認される画線を拡大して示す説明図。
【図５５】実施の形態３による印刷物において画線Ａ’上に中心線が位置するようにレンチキュラーレンズを載置した状態、及びこのときに視認される画線を拡大して示す説明図。
【図５６】実施の形態３による印刷物において画線Ｂ上に中心線が位置するようにレンチキュラーレンズを載置した状態、及びこのときに視認される画線を拡大して示す説明図。
【図５７】実施の形態３による印刷物において画線Ｂ’上に中心線が位置するようにレンチキュラーレンズを載置した状態、及びこのときに視認される画線を拡大して示す説明図。
【図５８】実施の形態３による印刷物において画線Ｃ上に中心線が位置するようにレンチキュラーレンズを載置した状態、及びこのときに視認される画線を拡大して示す説明図。
【図５９】実施の形態３による印刷物において画線Ｃ’上に中心線が位置するようにレンチキュラーレンズを載置した状態、及びこのときに視認される画線を拡大して示す説明図。
【図６０】実施の形態３による印刷物における画線Ａ、Ａ’の構成を具体的に示す説明図。
【図６１】実施の形態３による印刷物における画線Ｂ、Ｂ’の構成を具体的に示す説明図。
【図６２】実施の形態３による印刷物における画線Ｃ、Ｃ’の構成を具体的に示す説明図。
【図６３】実施の形態３による印刷物における画線Ａ、Ａ’、Ｂ、Ｂ’、Ｃ、Ｃ’の構成を重ね合わせたことを示す説明図。
【図６４】実施の形態３による印刷物を目視により観察した時に視認される模様の構成を示す説明図。
【図６５】実施の形態３による印刷物の画線の構成を一部拡大して示す説明図。
【図６６】実施の形態３による印刷物の画線の構成の立体図を示す説明図。
【図６７】本発明の一画線の構成を示す説明図。
【図６８】本発明の一画線の構成の組合せを具体的に示す説明図。
【図６９】本発明の一画線の構成を示す説明図。
【図７０】本発明の一画線の構成の組合せを具体的に示す説明図。
【発明を実施するための最良の形態】
【００５０】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００５１】
（実施の形態１）
印刷物１に判別具３を重ね合わせることにより、容易に不可視画像を発現させて真偽性を判別することができるものである。判別具３は、透明性を有するフィルタに複数の直線が万線状に一方向に沿って形成された万線フィルタ、レンチキュラーレンズ等である。印刷物１の印刷模様２を通常の可視条件において目視により観察すると、図１６に示されたように、任意の図形及び文字等から成る模様４が視認される。そして、印刷物１上に判別具３を所定の角度（これを０度とする）を持って重ね合わせると、図１７（ａ）又は図１７（ｂ）に示されたような第１の不可視画像９が可視画像となって発現する。また、印刷物１上に判別具３を所定の角度（これを０度とする）を持って重ね合わせると、図１８（ｂ）に示されたような第２の不可視画像１０が可視画像となって発現する。さらに、印刷物１上に判別具３を所定の角度に対して９０度を成す角度を持って重ね合わせると、図１８（ａ）に示されたような第２の不可視画像１０が可視画像となって発現する。図１７（ａ）又は図１７（ｂ）及び図１８（ａ）又は図１８（ｂ）に示されるようにネガポジ状のどちらかに見えるのは、判別具３と印刷物１との間の相対的な位置によって生ずるものであり、本発明の効果の範囲内である。
【００５２】
図１９（ａ）に、本実施の形態１における印刷物に対する印刷模様の一画線の構成を部分的に拡大して示す。印刷模様は複数のユニットがマトリックス状に配置される。ここで、ユニットの縦横の寸法Ｓは、例えば、３４０μｍというように１ｍｍ以下の大きさである。なお、ユニットは実施の印刷物には形成されるものではない。ユニット内には画線が配置される。各画線は、少なくとも三つ以上のユニットを備えている。画線Ａと画線Ａ’とは、対を成しており、相互にネガポジの関係にある。画線Ａと画線Ａ’はユニット内に配置され、画線Ａの長手方向が第１の方向に沿って配置され、画線Ａ’は、画線Ａと異なる位置の長手方向が画線Ａと同様の第１の方向に沿って配置される。ここで言う、長手方向とは画線が長い方向を指す。短辺方向は画線が短い方向を指す。このネガポジの関係とは、例えば、一方が黒（オン）のときは他方は白（オフ）、一方が有着色のときは他方は無着色であり、双方ともに黒又は双方ともに白であることがないということである。そして、画線Ａと画線Ａ’とは、面積が同一である。このような画線Ａと画線Ａ’とが存在することで通常の可視条件下では視認されず、画線Ａのみにより第１の不可視画像（ネガ又はポジ）、画線Ａ’のみにより第１の不可視画像（ポジ又はネガ）がそれぞれ形成されている。
【００５３】
同様に、画線Ｂと画線Ｂ’とは、対を成してネガポジの関係にあり、かつ、面積が同一である。画線Ｂと画線Ｂ’はユニット内に配置され、画線Ｂの長手方向が画線Ａ及び画線Ａ’の画線が配置される第１の方向とは異なる第２の方向に沿って配置され、画線Ｂ’は、画線Ｂと異なる位置の長手方向が第２の方向とは異なる方向の第３の方向に沿って配置される。ここで言う、長手方向とは画線が長い方向を指す。短辺方向は画線が短い方向を指す。画線Ｂのみにより第２の不可視画像（ネガ又はポジ）、画線Ｂ’のみにより第２の不可視画像（ポジ又はネガ）がそれぞれ形成されている。
【００５４】
図１９（ｂ）〜（ｅ）は、図１９（ａ）の画線Ａ、画線Ａ’、画線Ｂ、画線Ｂ’の各画線を個別に分けて示されている。この画線の組合せを図８（ａ）〜（ｄ）に示されている。図８に示された画線の組合せ（ａ）〜（ｄ）を具体的に図２０（ａ）〜（ｄ）に画線の組合せとして示されている。この画線の組合せを一画線の構成とし、印刷物上にマトリックス状に隙間なく、連続的かつ規則的に配置することにより、印刷模様２に施されている不可視画像（任意の図形及び文字等）が形成されている。
【００５５】
図１９（ａ）に示された画線Ａと画線Ａ’、画線Ｂと画線Ｂ’に関し、縦横の長さがＳである四角形内において、縦軸方向に長方形の画線Ａと画線Ａ’とを縦の長さＳの６分の１の長さ程度で横の長さＳの長さ程度をそれぞれ持ってユニットの上辺付近に配置し、横軸方向に長方形の画線Ｂを縦の長さＳの長さ程度で横の長さＳの６分の１の長さ程度をユニットの中心付近に配置されている。また、縦軸方向に長方形の画線Ｂ’を縦の長さＳの６分の１の長さ程度で横の長さＳの長さ程度をユニットの中心付近に配置されている。さらに、画線Ｂは、画線Ａ及び画線Ａ’と一部、重なる部分を有する。しかし、本発明は、上記記載の条件に限定されるものではない。
【００５６】
このような構成を有する画線を印刷物上にマトリクス状に隙間なく、連続的かつ規則的に配置すると図２１のようである。この図２１は、印刷物に印刷された印刷模様２を構成するマトリクス状に配置された複数の画線を、第１の不可視画像、第２の不可視画像のそれぞれの構成が分かるように簡易的に示した模式図である。印刷模様２において、画線Ａの総画線面積と画線Ａ’の総画線面積とが等しく、それぞれ対になっているもの同士がネガポジの関係にあることによって、第１の不可視画像が通常の目視では不可視の状態になっている。同様に、画線Ｂと画線Ｂ’により構成される第２の不可視画像が不可視の状態になっている。
【００５７】
この状態で、図２２に示されたように、例えば、レンチキュラーレンズから成る判別具３を印刷物１上の印刷模様２に重ね合わせ、正面から目視で観察することによって、印刷模様２に施されている不可視画像を可視画像として発現させることができる。なお、本実施の形態１では、長さＳが３４０μｍで、印刷模様２がオフセット印刷によりコート紙に印刷されている。しかし、長さＳ、印刷物の基材、印刷方法、印刷材料、印刷装置等について何ら限定するものでない。
【００５８】
通常の目視では、可視画像が視認されるが、不可視画像は、視認されない。判別具を印刷模様上の所定の位置に重ね合わせると、それまで視認されていた可視画像が全く確認できなくなり、逆に不可視画像が視認されるようになる。このような形態については、本実施の形態３において説明をする。本実施の形態１においては、印刷模様２に施されている不可視画像を可視画像として発現させる画像のスイッチ効果の原理について、以下に説明する。
【００５９】
印刷模様２を構成しているのが不可視画像を構成する画線Ａ又はＡ’及び画線Ｂ又はＢ’である。画線Ａ及び画線Ａ’、画線Ｂ及び画線Ｂ’はそれぞれネガポジの関係にあるとともに面積が同一であるため、画像（模様）として確認されることはない。また、本実施形態１においては、可視画像を形成されていないが、可視画像を構成させる画線の太細で階調を現すことも可能である。例えば、不可視画像を構成する画線Ｂ及び画線Ｂ’の画線の太細で階調を現すことである。
【００６０】
印刷物上の所定の位置に、判別具であるレンチキュラーレンズにおける各レンズの中心線が画線Ａの中心、すなわち図１９（ａ）における線Ｌ１に一致するように載置する。この場合、画線Ａが拡大された状態となるため、画線Ａにより構成されている画像（模様）が確認できることとなる。その際、不可視画像を構成している画線Ｂ及びＢ’は、拡大されている画線Ａよりも面積が相対的に小さくなる。さらに、画線Ｂ及びＢ’は、相互にネガポジの関係にある。これにより、画像としてではなく、一様な背景としてしか視認されないため、実際上には画像がスイッチすることとなる。画線Ａ’が拡大されるように縦軸方向に沿って判別具を移動させた場合、画線Ａにより視認された第１の不可視画像のネガポジが反転して視認される。また、判別具を９０度回転させ、レンチキュラーレンズにおける各レンズの中心線が図１９（ａ）における線Ｌ３と一致するようにすることで、画線Ｂが拡大されるように判別具を載置した場合、同様の原理で第２の不可視画像のネガポジが反転して視認される。さらに、この状態から判別具を-９０度回転させ、レンチキュラーレンズの各レンズの中心線が図１９（ａ）における線Ｌ４と一致するようにすることで、画線Ｂ’が拡大されるように判別具を載置した場合にも、同様の原理で第２の不可視画像のネガポジが反転して視認される。
【００６１】
印刷模様２に、所定の角度、より具体的には図１９（ａ）における線Ｌ１と各レンズの中心線とが一致するように、レンチキュラーレンズから成る判別具３を印刷物１上の印刷模様２に重ね合わせ、正面から目視で観察した状態を図２３に示す。レンチキュラーレンズの中心線８が図１９（ａ）における線Ｌ１と一致するように図２３（ａ）に示された位置にあるとき、中心線８に位置するのは、画線Ａとなっている。レンチキュラーレンズの特性によって中心線８に位置する画線Ａが膨張して見えるため、目視では図２３（ｂ）に示されたような図形の可視画像が発現する。また、レンチキュラーレンズの中心線８が図１９（ａ）における線Ｌ２と一致し、図２４（ａ）に示された位置にあるとき、中心線８に位置するのは、画線Ａ’となっている。レンチキュラーレンズの特性によって中心線８に位置する画線Ａ’が膨張して見えるため、目視では図２４（ｂ）に示されたような図形の可視画像が発現する。ここで、画線Ａと画線Ａ’とはネガポジの関係にある。よって、上述の図１７（ａ）又は図１７（ｂ）に示されたような第１の不可視画像がネガポジ状のどちらかに見える可視画像となって発現する。
【００６２】
図１９（ａ）における線Ｌ３と各レンズの中心線とが一致するように、レンチキュラーレンズから成る判別具３を印刷物１上の印刷模様２に重ね合わせ、正面から目視で観察した状態を図２５に示す。レンチキュラーレンズの中心線８が図１９（ａ）における線Ｌ３と一致するように図２５（ａ）に示された位置にあるとき、中心線８に位置するのは、画線Ｂとなっている。レンチキュラーレンズの特性によって中心線８に位置する画線Ｂが膨張して見えるため、目視では図２５（ｂ）に示されたような図形の可視画像が発現する。また、レンチキュラーレンズの中心線８が図１９（ａ）における線Ｌ４と一致し、図２６（ａ）に示された位置にあるとき、中心線８に位置するのは、画線Ｂ’となっている。レンチキュラーレンズの特性によって中心線８に位置する画線Ｂ’が膨張して見えるため、目視では図２６（ｂ）に示されたような図形の可視画像が発現する。ここで、画線Ｂと画線Ｂ’とはネガポジの関係にある。よって、上述の図１８（ａ）又は図１８（ｂ）に示されたような第２の不可視画像がネガポジ状のどちらかに見える可視画像となって発現する。
【００６３】
図２７は、図１９（ｂ）と（ｃ）に示された画線Ａと画線Ａ’の配置構成を任意の図形で現わされている。図２７（ａ）は、画線Ａを任意の文字「ポジＡ」になるよう配置されている。図２７（ｂ）は、画線Ａ’を任意の文字「ネガＡ」になるよう配置されている。図２７（ｃ）は、図２７（ａ）と図２７（ｂ）を重ね合わせた状態になっている。図２７（ｃ）に示された実線「Ａ」は、重ねたことによる隠された図の説明のために示されたもので、印刷物の模様として印刷されるものではない。上述で説明したように、画線Ａの総画線面積と画線Ａ’の総画線面積とが等しく、それぞれ対になっているもの同士がネガポジの関係にあることによって、第１の不可視画像が通常の目視では不可視の状態になっている。この関係を保ちさえすれば、画線Ａと画線Ａ’の配置は、文字や図形等に限定されるものではない。
【００６４】
また、図２７（ｃ）における線Ｌ１と各レンズの中心線とが一致するように、レンチキュラーレンズから成る判別具３を印刷物１上の印刷模様２に重ね合わせ、正面から目視で観察した状態が図１７（ａ）に示されたような第１の不可視画像９が可視画像となって発現する。
【００６５】
さらに図２７（ｃ）における線Ｌ２と各レンズの中心線とが一致するように、レンチキュラーレンズから成る判別具３を印刷物１上の印刷模様２に重ね合わせ、正面から目視で観察した状態が図１７（ｂ）に示されたような第１の不可視画像９が可視画像となって発現する。
【００６６】
図２８は、図１９（ｄ）と（ｅ）に示された画線Ｂと画線Ｂ’の配置構成を任意の図形で現わされている。図２８（ａ）は、画線Ｂを任意の図形「ポジ桜」になるよう配置されている。図２８（ｂ）は、画線Ｂ’を任意の図形「ネガ桜」になるよう配置されている。図２８（ｃ）は、（ａ）と（ｂ）を重ね合わせた状態になっている。図２８（ｃ）に示された実線「桜」は、重ねたことによる隠された図の説明のために示されたもので、印刷物の模様として印刷されるものではない。上述で説明したように、画線Ｂの総画線面積と画線Ｂ’の総画線面積とが等しく、それぞれ対になっているもの同士がネガポジの関係にあることによって、第２の不可視画像が通常の目視では不可視の状態になっている。この関係を保ちさえすれば、画線Ｂと画線Ｂ’の配置は、文字や図形等に限定されるものではない。
【００６７】
また、図２８（ｃ）における線Ｌ３と各レンズの中心線とが一致するように、レンチキュラーレンズから成る判別具３を印刷物１上の印刷模様２に重ね合わせ、正面から目視で観察した状態が図１８（ａ）に示されたような第２の不可視画像１０が可視画像となって発現する。
【００６８】
さらに図２８（ｃ）における線Ｌ４と各レンズの中心線とが一致するように、レンチキュラーレンズから成る判別具３を印刷物１上の印刷模様２に重ね合わせ、正面から目視で観察した状態が図１８（ｂ）に示されたような第２の不可視画像１０が可視画像となって発現する。
【００６９】
図２９は、図２７（ｃ）と図２８（ｃ）を重ね合わせた状態を示されている。図２９（ａ）に、本実施の形態１における印刷物に対する印刷模様の一画線の構成を部分的に拡大して示されている。図２９（ｂ）は、図２９（ａ）の構成を有する画線を印刷物上にマトリクス状に隙間なく、連続的かつ規則的に配置し、図２７（ｃ）と図２８（ｃ）の配置構成になるように画線Ａ、画線Ａ’、画線Ｂ、画線Ｂ’を配置されたものであり、図２７（ｃ）と図２８（ｃ）を重ね合わせた状態でもある。また、図２９（ｂ）に示された黒い実線「Ａ」及び黒い実線「桜」は、重ねたことによる隠された図の説明のために示されたもので、印刷物の模様として印刷されるものではない。
【００７０】
図３０（ａ）は、図２９（ｂ）に示されたものと同等であり、図３０（ｂ）は、図３０（ａ）の画線構成の一部を拡大された図である。図３０（ｂ）に示された画線Ａ及び画線Ｂは、図２７（ａ）の「ポジＡ」と図２８（ａ）の「ポジ桜」の一部を示され、図３０（ｂ）に示された画線Ａ’及び画線Ｂ’は、図２７（ｂ）の「ネガＡ」と図２８（ｂ）の「ネガ桜」の一部を示されている。
【００７１】
図３１（ａ）は、図３０（ｂ）に示されたものと同等であり、図３１（ｂ）は、図３１（ａ）の画線構成の立体図を示されたものである。図３１（ｂ）に示された盛り高さを有する画線、画線Ａと画線Ａ’、画線Ｂと画線Ｂ’に関し、縦横の長さがＳである四角形内において、ユニット１１は、縦軸方向に長方形の画線Ａを縦の長さＳの６分の１の長さ程度で横の長さＳの長さ程度をユニットの上辺付近に配置し、横軸方向に長方形の画線Ｂを縦の長さＳの長さ程度で横の長さＳの６分の１の長さ程度をユニットの中心付近に配置されている。また、ユニット１２は、縦軸方向に長方形の画線Ａ’を縦の長さＳの６分の１の長さ程度で横の長さＳの長さ程度を画線Ａと対向するように配置し、縦軸方向に長方形の画線Ｂ’を縦の長さＳの６分の１の長さ程度で横の長さＳの長さ程度をユニットの中心付近に配置されている。ユニット１１に示された盛り高さを有する画線Ａ及び画線Ｂは、画線Ｂ’の画線の盛り高さ未満を成す。ユニット１２に示された盛り高さを有する画線Ａ’は、画線Ｂ’の画線の盛り高さ未満を成す。すなわち、盛り高さを有する画線Ａ、画線Ａ’及び画線Ｂは、画線Ｂ’の画線の盛り高さ以下を成す（画線Ａ、画線Ａ’、画線Ｂ≦画線Ｂ’）。
【００７２】
図３２は、本実施の形態１の印刷物１を傾けて目視により観察した時に視認される印刷模様２を示す斜視図である。上述図２に示すように、図３２は、印刷物１を傾けて観察すると、画線Ｂ’は、印刷物１を傾ける角度に対して直交する方向に配列されていることから、インキの盛り高さを有する画線によって各々の非画線部が隠蔽され、高濃度となるが、画線Ｂは、印刷物を傾ける方向に沿って配列されていることから、印刷物を傾けても各々の非画線部の濃度は変化しない。これにより、潜像模様「桜」が顕像となって出現する。潜像模様を成している画線Ｂ、画線Ｂ’は、第２の不可視画像の画線構成とも兼ね備えている。
【００７３】
（実施の形態２）
印刷物１に判別具３を重ね合わせることにより、容易に不可視画像を発現させて真偽性を判別することができるものである。判別具３は、透明性を有するフィルタに複数の直線が万線状に一方向に沿って形成された万線フィルタ、レンチキュラーレンズ等である。印刷物１の印刷模様２を通常の可視条件において目視により観察すると、図１６に示されたように、任意の図形及び文字等から成る模様４が視認される。そして、印刷物１上に判別具３を所定の角度（これを０度とする）を持って重ね合わせると、図１７（ａ）又は図１７（ｂ）に示されたような第１の不可視画像９が可視画像となって発現する。また、印刷物１上に判別具３を所定の角度（これを０度とする）を持って重ね合わせると、図１８（ｂ）に示されたような第２の不可視画像１０が可視画像となって発現する。また、印刷物１上に判別具３を所定の角度に対して９０度を成す角度を持って重ね合わせると、図１８（ａ）に示されたような第２の不可視画像１０が可視画像となって発現する。さらに、印刷物１上に判別具３を所定の角度に対して９０度を成す角度を持って重ね合わせると、図３３（ａ）又は図３３（ｂ）に示されたような第３の不可視画像１３が可視画像となって発現する。図１７（ａ）又は図１７（ｂ）、図１８（ａ）又は図１８（ｂ）及び図３３（ａ）又は図３３（ｂ）に示されるようにネガポジ状のどちらかに見えるのは、判別具３と印刷物１との間の相対的な位置によって生ずるものであり、本発明の効果の範囲内である。
【００７４】
図３４（ａ）に、本実施の形態２における印刷物に対する印刷模様の一画線の構成を部分的に拡大して示す。印刷模様は複数のユニットがマトリックス状に配置される。ここで、ユニットの縦横の寸法Ｓは、例えば、３４０μｍというように１ｍｍ以下の大きさである。なお、ユニットは実施の印刷物には形成されるものではない。ユニット内には画線が配置される。各画線は、少なくとも三つ以上のユニットを備えている。画線Ａと画線Ａ’とは、対を成しており、相互にネガポジの関係にある。
画線Ａと画線Ａ’はユニット内に配置され、画線Ａの長手方向が第１の方向に沿って配置され、画線Ａ’は、画線Ａと異なる位置の長手方向が画線Ａと同様の第１の方向に沿って配置される。ここで言う、長手方向とは画線が長い方向を指す。短辺方向は画線が短い方向を指す。このネガポジの関係とは、例えば、一方が黒（オン）のときは他方は白（オフ）、一方が有着色のときは他方は無着色であり、双方ともに黒又は双方ともに白であることがないということである。そして、画線Ａと画線Ａ’とは、面積が同一である。このような画線Ａと画線Ａ’とが存在することで通常の可視条件下では視認されず、画線Ａのみにより第１の不可視画像（ネガ又はポジ）、画線Ａ’のみにより第１の不可視画像（ポジ又はネガ）がそれぞれ形成されている。
【００７５】
同様に、画線Ｂと画線Ｂ’とは、対を成してネガポジの関係にあり、かつ、面積が同一である。画線Ｂと画線Ｂ’はユニット内に配置され、画線Ｂの長手方向が画線Ａ及び画線Ａ’の画線が配置される第１の方向とは異なる第２の方向に沿って配置され、画線Ｂ’は、画線Ｂと異なる位置の長手方向が第２の方向とは異なる方向の第３の方向に沿って配置される。ここで言う、長手方向とは画線が長い方向を指す。短辺方向は画線が短い方向を指す。画線Ｂのみにより第２の不可視画像（ネガ又はポジ）、画線Ｂ’のみにより第２の不可視画像（ポジ又はネガ）がそれぞれ形成されている。
【００７６】
同様に、画線Ｃと画線Ｃ’とは、対を成してネガポジの関係にあり、かつ、面積が同一である。画線Ｃと画線Ｃ’はユニット内に配置され、画線Ｃの長手方向が画線Ａ及び画線Ａ’の画線が配置される第１の方向とは異なる第４の方向に沿って配置され、画線Ｃ’は、画線Ｃと異なる位置の長手方向が画線Ｃと同様の第４の方向に沿って配置される。ここで言う、長手方向とは画線が長い方向を指す。短辺方向は画線が短い方向を指す。画線Ｃのみにより第３の不可視画像（ネガ又はポジ）、画線Ｃ’のみにより第３の不可視画像（ポジ又はネガ）がそれぞれ形成されている。
【００７７】
図３４（ｂ）〜（ｇ）は、図３４（ａ）の画線Ａ、画線Ａ’、画線Ｂ、画線Ｂ’、画線Ｃ、画線Ｃ’の各画線を個別に分けて示されている。この画線の組合せを図３５（ａ）〜（ｈ）に示されている。図３５に示された画線の組合せ（ａ）〜（ｈ）を具体的に図３６（ａ）〜（ｈ）に画線の組合せとして示されている。この画線の組合せを一画線の構成とし、印刷物上にマトリックス状に隙間なく、連続的かつ規則的に配置することにより、印刷模様２に施されている不可視画像（任意の図形及び文字等）が形成されている。
【００７８】
図３４（ａ）に示された画線Ａと画線Ａ’、画線Ｂと画線Ｂ’、画線Ｃと画線Ｃ’に関し、縦横の長さがＳである四角形内において、縦軸方向に長方形の画線Ａと画線Ａ’とを縦の長さＳの６分の１の長さ程度で横の長さＳの長さ程度をそれぞれ持ってユニットの上辺付近に配置し、横軸方向に長方形の画線Ｂを縦の長さＳの長さ程度で横の長さＳの６分の１の長さ程度をユニットの中心付近に配置されている。また、縦軸方向に長方形の画線Ｂ’を縦の長さＳの６分の１の長さ程度で横の長さＳの長さ程度をユニットの中心付近に配置されている。さらに、横軸方向に長方形の画線Ｃと画線Ｃ’とを縦の長さＳの長さ程度で横の長さＳの６分の１の長さ程度をそれぞれ持ってユニットの左辺付近に配置されている。そしてさらに、画線Ｂ、画線Ｃ及び画線Ｃ’は、画線Ａ及び画線Ａ’と一部、重なる部分を有し、画線Ｂ’は、画線Ｃ及び画線Ｃ’と一部、重なる部分を有する。しかし、本発明は、上記記載の条件に限定されるものではない。
【００７９】
このような構成を有する画線を印刷物上にマトリクス状に隙間なく、連続的かつ規則的に配置すると図３７のようである。この図３７は、印刷物に印刷された印刷模様２を構成するマトリクス状に配置された複数の画線を、第１の不可視画像、第２の不可視画像及び第３の不可視画像のそれぞれの構成が分かるように簡易的に示した模式図である。印刷模様２において、画線Ａの総画線面積と画線Ａ’の総画線面積とが等しく、それぞれ対になっているもの同士がネガポジの関係にあることによって、第１の不可視画像が通常の目視では不可視の状態になっている。同様に、画線Ｂと画線Ｂ’により構成される第２の不可視画像が不可視の状態になっている。同様に、画線Ｃの総画線面積と画線Ｃ’の総画線面積とが等しく、それぞれ対になっているもの同士がネガポジの関係にあることによって、第３の不可視画像が通常の目視では不可視の状態になっている。
【００８０】
この状態で、図３８に示されたように、例えば、レンチキュラーレンズから成る判別具３を印刷物１上の印刷模様２に重ね合わせ、正面から目視で観察することによって、印刷模様２に施されている不可視画像を可視画像として発現させることができる。なお、本実施の形態２では、長さＳが３４０μｍで、印刷模様２がオフセット印刷によりコート紙に印刷されている。しかし、長さＳ、印刷物の基材、印刷方法、印刷材料、印刷装置等について何ら限定するものでない。
【００８１】
通常の目視では、可視画像が視認されるが、不可視画像は、視認されない。判別具を印刷模様上の所定の位置に重ね合わせると、それまで視認されていた可視画像が全く確認できなくなり、逆に不可視画像が視認されるようになる。このような形態については、本実施の形態３において説明をする。本実施の形態２においては、印刷模様２に施されている不可視画像を可視画像として発現させる画像のスイッチ効果の原理について、以下に説明する。
【００８２】
印刷模様２を構成しているのが不可視画像を構成する画線Ａ又はＡ’、画線Ｂ又はＢ’及び画線Ｃ又はＣ’である。画線Ａ及び画線Ａ’、画線Ｂ及び画線Ｂ’、画線Ｃ及び画線Ｃ’はそれぞれネガポジの関係にあるとともに面積が同一であるため、画像（模様）として確認されることはない。また、本実施形態２においては、可視画像を形成されていないが、可視画像を構成させる画線の太細で階調を現すことも可能である。例えば、不可視画像を構成する画線Ｂ及び画線Ｂ’の画線の太細で階調を現すことである。
【００８３】
印刷物上の所定の位置に、判別具であるレンチキュラーレンズにおける各レンズの中心線が画線Ａの中心、すなわち図３４（ａ）における線Ｌ１に一致するように載置する。この場合、画線Ａが拡大された状態となるため、画線Ａにより構成されている画像（模様）が確認できることとなる。その際、不可視画像を構成している画線Ｂ及びＢ’、画線Ｃ及びＣ’は、拡大されている画線Ａよりも面積が相対的に小さくなる。また、画線Ｂ及びＢ’、画線Ｃ及びＣ’は、相互にネガポジの関係にある。これにより、画像としてではなく、一様な背景としてしか視認されないため、実際上には画像がスイッチすることとなる。画線Ａ’が拡大されるように縦軸方向に沿って判別具を移動させた場合、画線Ａにより視認された第１の不可視画像のネガポジが反転して視認される。また、判別具であるレンチキュラーレンズにおける各レンズの中心線が図３４（ａ）における線Ｌ３と一致するようにすることで、画線Ｂが拡大されるように判別具を載置した場合にも、同様の原理で第２の不可視画像のネガポジが反転して視認される。また、この状態から判別具を-９０度回転させ、レンチキュラーレンズの各レンズの中心線が図３４（ａ）における線Ｌ４と一致するようにすることで、画線Ｂ’が拡大されるように判別具を載置した場合にも、同様の原理で第２の不可視画像のネガポジが反転して視認される。さらに、判別具であるレンチキュラーレンズにおける各レンズの中心線が図３４（ａ）における線Ｌ５と一致するようにすることで、画線Ｃが拡大されるように判別具を載置した場合、さらにこの状態から横軸方向に沿って画線Ｃ’が拡大されるように載置した場合にも、同様の原理で第３の不可視画像のネガポジが反転して視認される。
【００８４】
印刷模様２に、所定の角度、より具体的には図３４（ａ）における線Ｌ１と各レンズの中心線とが一致するように、レンチキュラーレンズから成る判別具３を印刷物１上の印刷模様２に重ね合わせ、正面から目視で観察した状態を図３９に示す。レンチキュラーレンズの中心線８が図３４（ａ）における線Ｌ１と一致するように図３９（ａ）に示された位置にあるとき、中心線８に位置するのは、画線Ａとなっている。レンチキュラーレンズの特性によって中心線８に位置する画線Ａが膨張して見えるため、目視では図３９（ｂ）に示されたような図形の可視画像が発現する。また、レンチキュラーレンズの中心線８が図３４（ａ）における線Ｌ２と一致し、図４０（ａ）に示された位置にあるとき、中心線８に位置するのは、画線Ａ’となっている。レンチキュラーレンズの特性によって中心線８に位置する画線Ａ’が膨張して見えるため、目視では図４０（ｂ）に示されたような図形の可視画像が発現する。ここで、画線Ａと画線Ａ’とはネガポジの関係にある。よって、上述の図１７（ａ）又は図１７（ｂ）に示されたような第１の不可視画像がネガポジ状のどちらかに見える可視画像となって発現する。
【００８５】
図３４（ａ）における線Ｌ２とレンチキュラーレンズの各レンズの中心線が図３５（ａ）における線Ｌ３と一致するように、印刷模様２に９０度の角度を持って判別具３を印刷物１上の印刷模様２に重ね合わせ、正面から目視で観察した状態を図４１に示す。この場合、レンチキュラーレンズの中心線８が図４１（ａ）に示された位置にあり、中心線８に位置するのは画線Ｂとなっている。レンチキュラーレンズの特性によって中心線８に位置する画線Ｂが膨張して見えるため、目視では図４１（ｂ）に示されたような図形の可視画像が発現する。また、レンチキュラーレンズの中心線８が図３４（ａ）における線Ｌ４と一致し、図４２（ａ）に示された位置にあるとき、中心線８に位置するのは、画線Ｂ’となっている。レンチキュラーレンズの特性によって中心線８に位置する画線Ｂ’が膨張して見えるため、目視では図４２（ｂ）に示されたような図形の可視画像が発現する。つまり、前述の図１８（ａ）又は図１８（ｂ）に示されたような第２の不可視画像が、ネガポジ状のどちらかに見える可視画像となって発現するものである。
【００８６】
図３４（ａ）における線Ｌ５と各レンズの中心線とが一致するように、レンチキュラーレンズから成る判別具３を印刷物１上の印刷模様２に重ね合わせ、正面から目視で観察した状態を図４３に示す。レンチキュラーレンズの中心線８が図３４（ａ）における線Ｌ５と一致するように図４３（ａ）に示された位置にあるとき、中心線８に位置するのは、画線Ｃとなっている。レンチキュラーレンズの特性によって中心線８に位置する画線Ｃが膨張して見えるため、目視では図４３（ｂ）に示されたような図形の可視画像が発現する。また、レンチキュラーレンズの中心線８が図３４（ａ）における線Ｌ６と一致し、図４４（ａ）に示された位置にあるとき、中心線８に位置するのは、画線Ｃ’となっている。レンチキュラーレンズの特性によって中心線８に位置する画線Ｃ’が膨張して見えるため、目視では図４４（ｂ）に示されたような図形の可視画像が発現する。ここで、画線Ｃと画線Ｃ’とはネガポジの関係にある。よって、上述の図３３（ａ）又は図３３（ｂ）に示されたような第３の不可視画像がネガポジ状のどちらかに見える可視画像となって発現する。
【００８７】
図２７は、図３４（ｂ）と（ｃ）に示された画線Ａと画線Ａ’の配置構成を任意の図形で現わされている。図２７（ａ）は、画線Ａを任意の文字「ポジＡ」になるよう配置されている。図２７（ｂ）は、画線Ａ’を任意の文字「ネガＡ」になるよう配置されている。図２７（ｃ）は、（ａ）と（ｂ）を重ね合わせた状態になっている。図２７（ｃ）に示された実線「Ａ」は、重ねたことによる隠された図の説明のために示されたもので、印刷物の模様として印刷されるものではない。上述で説明したように、画線Ａの総画線面積と画線Ａ’の総画線面積とが等しく、それぞれ対になっているもの同士がネガポジの関係にあることによって、第１の不可視画像が通常の目視では不可視の状態になっている。この関係を保ちさえすれば、画線Ａと画線Ａ’の配置は、文字や図形等に限定されるものではない。
【００８８】
また、図２７（ｃ）における線Ｌ１と各レンズの中心線とが一致するように、レンチキュラーレンズから成る判別具３を印刷物１上の印刷模様２に重ね合わせ、正面から目視で観察した状態が図１７（ａ）に示されたような第１の不可視画像９が可視画像となって発現する。
【００８９】
さらに、図２７（ｃ）における線Ｌ２と各レンズの中心線とが一致するように、レンチキュラーレンズから成る判別具３を印刷物１上の印刷模様２に重ね合わせ、正面から目視で観察した状態が図１７（ｂ）に示されたような第１の不可視画像９が可視画像となって発現する。
【００９０】
図２８は、図３４（ｄ）と図３４（ｅ）に示された画線Ｂと画線Ｂ’の配置構成を任意の図形で現わされている。図２８（ａ）は、画線Ｂを任意の文字「ポジ桜」になるよう配置されている。図２８（ｂ）は、画線Ｂ’を任意の文字「ネガ桜」になるよう配置されている。図２８（ｃ）は、図２８（ａ）と図２８（ｂ）を重ね合わせた状態になっている。図２８（ｃ）に示された実線「桜」は、重ねたことによる隠された図の説明のために示されたもので、印刷物の模様として印刷されるものではない。上述で説明したように、画線Ｂの総画線面積と画線Ｂ’の総画線面積とが等しく、それぞれ対になっているもの同士がネガポジの関係にあることによって、第２の不可視画像が通常の目視では不可視の状態になっている。この関係を保ちさえすれば、画線Ｂと画線Ｂ’の配置は、文字や図形等に限定されるものではない。
【００９１】
また、図２８（ｃ）における線Ｌ３と各レンズの中心線とが一致するように、レンチキュラーレンズから成る判別具３を印刷物１上の印刷模様２に重ね合わせ、正面から目視で観察した状態が図１８（ａ）に示されたような第２の不可視画像１０が可視画像となって発現する。
【００９２】
さらに、図２８（ｃ）における線Ｌ４と各レンズの中心線とが一致するように、レンチキュラーレンズから成る判別具３を印刷物１上の印刷模様２に重ね合わせ、正面から目視で観察した状態が図１８（ｂ）に示されたような第２の不可視画像１０が可視画像となって発現する。
【００９３】
図４５は、図３４（ｆ）と図３４（ｇ）に示された画線Ｃと画線Ｃ’の配置構成を任意の図形で現わされている。図４５（ａ）は、画線Ｃを任意の図形「ポジＢ」になるよう配置されている。図４５（ｂ）は、画線Ｃ’を任意の図形「ネガＢ」になるよう配置されている。図４５（ｃ）は、図４５（ａ）と図４５（ｂ）を重ね合わせた状態になっている。図４５（ｃ）に示された実線「Ｂ」は、重ねたことによる隠された図の説明のために示されたもので、印刷物の模様として印刷されるものではない。上述で説明したように、画線Ｃの総画線面積と画線Ｃ’の総画線面積とが等しく、それぞれ対になっているもの同士がネガポジの関係にあることによって、第３の不可視画像が通常の目視では不可視の状態になっている。この関係を保ちさえすれば、画線Ｃと画線Ｃ’の配置は、文字や図形等に限定されるものではない。
【００９４】
また、図４５（ｃ）における線Ｌ５と各レンズの中心線とが一致するように、レンチキュラーレンズから成る判別具３を印刷物１上の印刷模様２に重ね合わせ、正面から目視で観察した状態が図３３（ａ）に示されたような第３の不可視画像１３が可視画像となって発現する。
【００９５】
さらに、図４５（ｃ）における線Ｌ６と各レンズの中心線とが一致するように、レンチキュラーレンズから成る判別具３を印刷物１上の印刷模様２に重ね合わせ、正面から目視で観察した状態が図３３（ｂ）に示されたような第３の不可視画像１３が可視画像となって発現する。
【００９６】
図４６は、図２７（ｃ）、図２８（ｃ）及び図４５（ｃ）を重ね合わせた状態を示されている。図４６（ａ）に、本実施の形態２における印刷物に対する印刷模様の一画線の構成を部分的に拡大して示されている。図４６（ｂ）は、図４６（ａ）の構成を有する画線を印刷物上にマトリクス状に隙間なく、連続的かつ規則的に配置し、図２７（ｃ）、図２８（ｃ）及び図４５（ｃ）の配置構成になるように画線Ａ、画線Ａ’、画線Ｂ、画線Ｂ’、画線Ｃ、画線Ｃ’を配置されたものであり、図２７（ｃ）、図２８（ｃ）及び図４５（ｃ）を重ね合わせた状態でもある。また、図４６（ｂ）に示された黒い実線「Ａ」、黒い実線「桜」及び黒い実線「Ｂ」は、重ねたことによる隠された図の説明のために示されたもので、印刷物の模様として印刷されるものではない。
【００９７】
図４７（ａ）は、図４６（ｂ）に示されたものと同等であり、図４７（ｂ）は、図４７（ａ）の画線構成の一部を拡大された図である。図４７（ｂ）に示された画線Ａ、画線Ｂ及び画線Ｃは、図２７（ａ）の「ポジＡ」と図２８（ａ）の「ポジ桜」と図４５（ａ）の「ポジＢ」の一部を示され、図４７（ｂ）に示された画線Ａ’、画線Ｂ’及び画線Ｃ’は、図２７（ｂ）の「ネガＡ」と図２８（ｂ）の「ネガ桜」と図４５（ｂ）の「ネガＢ」の一部を示されている。
【００９８】
図４８（ａ）は、図４７（ｂ）に示されたものと同等であり、図４８（ｂ）は、図４８（ａ）の画線構成の立体図を示されたものである。図４８（ｂ）に示された盛り高さを有する画線、画線Ａと画線Ａ’、画線Ｂと画線Ｂ’、画線Ｃと画線Ｃ’に関し、縦横の長さがＳである四角形内において、ユニット１４は、縦軸方向に長方形の画線Ａを縦の長さＳの６分の１の長さ程度で横の長さＳの長さ程度をユニットの上辺付近に配置し、横軸方向に長方形の画線Ｂを縦の長さＳの長さ程度で横の長さＳの６分の１の長さ程度をユニットの中心付近に配置し、横軸方向に長方形の画線Ｃを縦の長さＳの長さ程度で横の長さＳの６分の１の長さ程度をユニットの左辺付近に配置されている。また、ユニット１５は、縦軸方向に長方形の画線Ａ’を縦の長さＳの６分の１の長さ程度で横の長さＳの長さ程度を画線Ａと対向するように配置し、縦軸方向に長方形の画線Ｂ’を縦の長さＳの６分の１の長さ程度で横の長さＳの長さ程度をユニットの中心付近に配置し、横軸方向に長方形の画線Ｃ’を縦の長さＳの長さ程度で横の長さＳの６分の１の長さ程度をユニットの左辺付近に配置されている。ユニット１４に示された盛り高さを有する画線Ａ、画線Ｂ及び画線Ｃは、画線Ｂ’の画線の盛り高さ未満を成す。ユニット１５に示された盛り高さを有する画線Ａ’及び画線Ｃ’は、画線Ｂ’の画線の盛り高さ未満を成す。すなわち、盛り高さを有する画線Ａ、画線Ａ’、画線Ｂ、画線Ｃ及び画線Ｃ’は、画線Ｂ’の画線の盛り高さ以下を成す（画線Ａ、画線Ａ’、画線Ｂ、画線Ｃ、画線Ｃ’≦画線Ｂ’）。
【００９９】
図３２は、本実施の形態２の印刷物１を傾けて目視により観察した時に視認される印刷模様２を示す斜視図である。上述図２に示すように、図３２は、印刷物１を傾けて観察すると、画線Ｂ’は、印刷物１を傾ける角度に対して直交する方向に配列されていることから、インキの盛り高さを有する画線によって各々の非画線部が隠蔽され、高濃度となるが、画線Ｂは、印刷物を傾ける方向に沿って配列されていることから、印刷物を傾けても各々の非画線部の濃度は変化しない。これにより、潜像模様「桜」が顕像となって出現する。潜像模様を成している画線Ｂ、画線Ｂ’は、第２の不可視画像の画線構成とも兼ね備えている。
【０１００】
（実施の形態３）
印刷物１に判別具３を重ね合わせることにより、容易に不可視画像を発現させて真偽性を判別することができるものである。判別具３は、透明性を有するフィルタに複数の直線が万線状に一方向に沿って形成された万線フィルタ、レンチキュラーレンズ等である。印刷物１の印刷模様２を通常の可視条件において目視により観察すると、図４９に示されたように、任意の図形、文字等から成る模様４が視認される。そして、印刷物１上に判別具３を所定の角度（これを０度とする）を持って重ね合わせると、図１７（ａ）又は図１７（ｂ）に示されたような第１の不可視画像９が可視画像となって発現する。また、印刷物１上に判別具３を所定の角度（これを０度とする）を持って重ね合わせると、図１８（ｂ）に示されたような第２の不可視画像１０が可視画像となって発現する。また、印刷物１上に判別具３を所定の角度に対して９０度を成す角度を持って重ね合わせると、図１８（ａ）に示されたような第２の不可視画像１０が可視画像となって発現する。さらに、印刷物１上に判別具３を所定の角度に対して９０度を成す角度を持って重ね合わせると、図３３（ａ）又は図３３（ｂ）に示されたような第３の不可視画像１３が可視画像となって発現する。図１７（ａ）又は図１７（ｂ）、図１８（ａ）又は図１８（ｂ）、図３３（ａ）又は図３３（ｂ）に示されるようにネガポジ状のどちらかに見えるのは、判別具３と印刷物１との間の相対的な位置によって生ずるものであり、本発明の効果の範囲内である。
【０１０１】
図５０（ａ）に、本実施の形態３における印刷物に対する印刷模様の一画線の構成を部分的に拡大して示す。印刷模様は複数のユニットがマトリックス状に配置される。ここで、ユニットの縦横の寸法Ｓは、例えば、３４０μｍというように１ｍｍ以下の大きさである。なお、ユニットは実施の印刷物には形成されるものではない。ユニット内には画線が配置される。各画線は、少なくとも三つ以上のユニットを備えている。画線Ａと画線Ａ’とは、対を成しており、相互にネガポジの関係にある。画線Ａと画線Ａ’はユニット内に配置され、画線Ａの長手方向が第１の方向に沿って配置され、画線Ａ’は、画線Ａと異なる位置の長手方向が画線Ａと同様の第１の方向に沿って配置される。ここで言う、長手方向とは画線が長い方向を指す。短辺方向は画線が短い方向を指す。このネガポジの関係とは、例えば、一方が黒（オン）のときは他方は白（オフ）、一方が有着色のときは他方は無着色であり、双方ともに黒又は双方ともに白であることがないということである。そして、画線Ａと画線Ａ’とは、面積が同一である。このような画線Ａと画線Ａ’とが存在することで通常の可視条件下では視認されず、画線Ａのみにより第１の不可視画像（ネガ又はポジ）、画線Ａ’のみにより第１の不可視画像（ポジ又はネガ）がそれぞれ形成されている。
【０１０２】
同様に、画線Ｂと画線Ｂ’とは、対を成してネガポジの関係にあり、かつ、面積が同一である。画線Ｂと画線Ｂ’はユニット内に配置され、画線Ｂの長手方向が画線Ａ及び画線Ａ’の画線が配置される第１の方向とは異なる第２の方向に沿って配置され、画線Ｂ’は、画線Ｂと異なる位置の長手方向が第２の方向とは異なる方向の第３の方向に沿って配置される。ここで言う、長手方向とは画線が長い方向を指す。短辺方向は画線が短い方向を指す。画線Ｂのみにより第２の不可視画像（ネガ又はポジ）、画線Ｂ’のみにより第２の不可視画像（ポジ又はネガ）がそれぞれ形成されている。
【０１０３】
同様に、画線Ｃと画線Ｃ’とは、対を成してネガポジの関係にあり、かつ、面積が同一である。画線Ｃと画線Ｃ’はユニット内に配置され、画線Ｃの長手方向が画線Ａ及び画線Ａ’の画線が配置される第１の方向とは異なる第４の方向に沿って配置され、画線Ｃ’は、画線Ｃと異なる位置の長手方向が画線Ｃと同様の第４の方向に沿って配置される。ここで言う、長手方向とは画線が長い方向を指す。短辺方向は画線が短い方向を指す。画線Ｃのみにより第３の不可視画像（ネガ又はポジ）、画線Ｃ’のみにより第３の不可視画像（ポジ又はネガ）がそれぞれ形成されている。
【０１０４】
また、画線Ｂと画線Ｂ’は、可視画像（デザイン：模様）を構成するものも兼ね備えており、通常の視認状態において肉眼で視認される任意の図形及び文字等から成る模様を構成する。
【０１０５】
図５０（ｂ）〜（ｇ）は、図５０（ａ）の画線Ａ、画線Ａ’、画線Ｂ、画線Ｂ’、画線Ｃ、画線Ｃ’の各画線を個別に分けて示されている。この画線の組合せを図３５（ａ）〜（ｈ）に示されている。図３５に示された画線の組合せ（ａ）〜（ｈ）を具体的に図５１（ａ）〜（ｈ）に画線の組合せとして示されている。この画線の組合せを一画線の構成とし、印刷物上にマトリックス状に隙間なく、連続的かつ規則的に配置することにより、印刷模様２に施されている不可視画像（任意の図形及び文字等）と可視画像（デザイン：模様）が形成されている。
【０１０６】
図５０（ａ）に示された画線Ａと画線Ａ’、画線Ｂと画線Ｂ’、画線Ｃと画線Ｃ’に関し、縦横の長さがＳである四角形内において、縦軸方向に凸の１８０度回転した画線Ａと凸の画線Ａ’とを凸の１８０度回転した左辺の縦の長さＳの６分の１の長さ程度で凸の１８０度回転した突起の部分の縦の長さＳの６分の１の長さ程度で横の長さＳの３分の２の長さの３分の１の長さ程度で凸の１８０度回転した突起の部分の位置は凸の１８０度回転した左辺からＳの３分の１の長さ程度を移動させた位置で凸の１８０度回転した上辺の横の長さＳの３分の２の長さの３分の１の長さを更にＳから引いた長さ程度をそれぞれ持ってユニットの左上付近の端に配置し、横軸方向に長方形の画線Ｂを縦の長さＳの３分の２の長さ程度で横の長さＳの３分の２の長さの３分の１の長さ程度をユニットの右下付近のＳの３分の１程度の位置に配置し、縦軸方向に長方形の画線Ｂ’を縦の長さＳの３分の２の長さの３分の１の長さ程度で横の長さＳの３分の２の長さ程度をユニットの右下付近のＳの３分の１程度の位置に配置されている。また、横軸方向に凸の９０度左回転した画線Ｃと凸の９０度右回転した画線Ｃ’とを凸の９０度左回転した右辺の縦の長さＳの３分の２の長さ程度で凸の９０度左回転した上辺の横の長さＳの６分の１の長さ程度で凸の９０度左回転した突起の部分の縦の長さＳの３分の２の長さの３分の１の長さ程度で横の長さＳの６分の１の長さ程度で凸の９０度左回転した突起の部分の位置は凸の９０度左回転した上辺からＳの３分の２の長さの３分の１の長さ程度を移動させた位置をそれぞれ持ってユニットの左下付近の端に配置されている。さらに、画線Ａと画線Ａ’は、お互いに一部、重なる部分を有し、画線Ｃと画線Ｃ’は、お互いに一部、重なる部分を有する。しかし、本発明は、上記記載の条件に限定されるものではない。
【０１０７】
また、図５０（ｆ）、図５０（ｇ）に示された補助画線Ｃ１、Ｃ’１は、図５１（ｃ）、図５１（ｄ）、図５１（ｇ）、図５１（ｈ）に示されたように画線Ｂ’と補助画線Ｃ１、Ｃ’１が一直線につながるようにするために、補助画線Ｃ１、Ｃ’１を画線Ｃ及び画線Ｃ’に追加している。それは、図３２に示されたように印刷物１を傾けて観察すると、画線Ｂ’は、印刷物１を傾ける角度に対して直交する方向に配列されていることから、インキの盛り高さを有する画線によって各々の非画線部が隠蔽され、高濃度となるが、画線Ｂは、印刷物を傾ける方向に沿って配列されていることから、印刷物を傾けても各々の非画線部の濃度は変化しない。この原理から、補助画線Ｃ１、Ｃ’１が画線Ｃ及び画線Ｃ’に追加されたことにより画線Ｂ’と一直線につながるようになり印刷物１を傾けると画線Ｂ’と画線Ｂとの濃度差が大きくなり、潜像模様「桜」がより見え易くなるためである。もし、補助画線Ｃ１、Ｃ’１がない場合、画線Ｂ’と画線Ｂとの濃度差が小さいため、潜像模様「桜」が見えづらくなる。
【０１０８】
このような構成を有する画線を印刷物上にマトリクス状に隙間なく、連続的かつ規則的に配置すると図５２のようになる。この図５２は、印刷物に印刷された印刷模様２を構成するマトリクス状に配置された複数の画線を、第１の不可視画像、第２の不可視画像及び第３の不可視画像のそれぞれの構成が分かるように簡易的に示した模式図である。印刷模様２において、画線Ａの総画線面積と画線Ａ’の総画線面積とが等しく、それぞれ対になっているもの同士がネガポジの関係にあることによって、第１の不可視画像が通常の目視では不可視の状態になっている。同様に、画線Ｂと画線Ｂ’により構成される第２の不可視画像が不可視の状態になっている。同様に、画線Ｃの総画線面積と画線Ｃ’の総画線面積とが等しく、それぞれ対になっているもの同士がネガポジの関係にあることによって、第３の不可視画像が通常の目視では不可視の状態になっている。
【０１０９】
この状態で、図５３に示されたように、例えば、レンチキュラーレンズから成る判別具３を印刷物１上の印刷模様２に重ね合わせ、正面から目視で観察することによって、印刷模様２に施されている不可視画像を可視画像として発現させることができる。なお、本実施の形態３では、長さＳが３４０μｍで、印刷模様２がオフセット印刷によりコート紙に印刷されている。しかし、長さＳ、印刷物の基材、印刷方法、印刷材料、印刷装置等について何ら限定するものでない。
【０１１０】
通常の目視では、可視画像が視認されるが、不可視画像は、視認されない。判別具を印刷模様上の所定の位置に重ね合わせると、それまで視認されていた可視画像が全く確認できなくなり、逆に不可視画像が視認されるようになる。このような本実施の形態３による印刷物における画像のスイッチ効果の原理について、以下に説明する。
【０１１１】
可視画像が視認され不可視画像が視認されていないとき、その可視画像を構成しているのは画線Ｂと画線Ｂ’の画線の太細で階調を現すものであり、その背景一面を構成しているのが不可視画像を構成する画線Ａ又はＡ’、画線Ｂ又はＢ’及び画線Ｃ又はＣ’である。画線Ａ及び画線Ａ’、画線Ｂ及びＢ’並びに画線Ｃ及び画線Ｃ’はそれぞれネガポジの関係にあるとともに面積が同一であるため、画像（模様）として確認されることはない。また、画線Ｂと画線Ｂ’は、可視画像（デザイン：模様）を構成するものも兼ね備えており、通常の視認状態において肉眼で視認される任意の図形及び文字等から成る模様を構成する。
【０１１２】
印刷物上の所定の位置に、判別具であるレンチキュラーレンズにおける各レンズの中心線が画線Ａの中心、すなわち図５０（ａ）における線Ｌ１に一致するように載置する。この場合、画線Ａが拡大された状態となるため、画線Ａにより構成されている画像（模様）が確認できることとなる。その際、可視画像を構成していた画線Ｂと画線Ｂ’及び不可視画像を構成している画線Ｂ及びＢ’並びに画線Ｃ及びＣ’は、拡大されている画線Ａよりも面積が相対的に小さくなる。また、画線Ｂ及びＢ’並びに画線Ｃ及びＣ’は、相互にネガポジの関係にある。これにより、画像としてではなく、一様な背景としてしか視認されないため、実際上には画像がスイッチすることとなる。画線Ａ’が拡大されるように縦軸方向に沿って判別具を移動させた場合、画線Ａにより視認された第１の不可視画像のネガポジが反転して視認される。また、判別具であるレンチキュラーレンズにおける各レンズの中心線が図５０（ａ）における線Ｌ３と一致するようにすることで、画線Ｂが拡大されるように判別具を載置した場合にも、同様の原理で第２の不可視画像のネガポジが反転して視認される。また、この状態から判別具を-９０度回転させ、レンチキュラーレンズの各レンズの中心線が図５０（ａ）における線Ｌ４と一致するようにすることで、画線Ｂ’が拡大されるように判別具を載置した場合にも、同様の原理で第２の不可視画像のネガポジが反転して視認される。さらに、判別具であるレンチキュラーレンズにおける各レンズの中心線が図５０（ａ）における線Ｌ５と一致するようにすることで、画線Ｃが拡大されるように判別具を載置した場合、さらにこの状態から横軸方向に沿って画線Ｃ’が拡大されるように載置した場合にも、同様の原理で第３の不可視画像のネガポジが反転して視認される。
【０１１３】
印刷模様２に、所定の角度、より具体的には図５０（ａ）における線Ｌ１と各レンズの中心線とが一致するように、レンチキュラーレンズから成る判別具３を印刷物１上の印刷模様２に重ね合わせ、正面から目視で観察した状態を図５４に示す。レンチキュラーレンズの中心線８が図５０（ａ）における線Ｌ１と一致するように図５４（ａ）に示された位置にあるとき、中心線８に位置するのは、画線Ａとなっている。レンチキュラーレンズの特性によって中心線８に位置する画線Ａが膨張して見えるため、目視では図５４（ｂ）に示されたような図形の可視画像が発現する。また、レンチキュラーレンズの中心線８が図５０（ａ）における線Ｌ２と一致し、図５５（ａ）に示された位置にあるとき、中心線８に位置するのは、画線Ａ’となっている。レンチキュラーレンズの特性によって中心線８に位置する画線Ａ’が膨張して見えるため、目視では図５５（ｂ）に示されたような図形の可視画像が発現する。ここで、画線Ａと画線Ａ’とはネガポジの関係にある。よって、上述の図１７（ａ）又は図１７（ｂ）に示されたような第１の不可視画像がネガポジ状のどちらかに見える可視画像となって発現する。
【０１１４】
図５０（ａ）における線Ｌ２とレンチキュラーレンズの各レンズの中心線が図５０（ａ）における線Ｌ３と一致するように、印刷模様２に９０度の角度を持って判別具３を印刷物１上の印刷模様２に重ね合わせ、正面から目視で観察した状態を図５６に示す。この場合、レンチキュラーレンズの中心線８が図５６（ａ）に示された位置にあり、中心線８に位置するのは画線Ｂとなっている。レンチキュラーレンズの特性によって中心線８に位置する画線Ｂが膨張して見えるため、目視では図５６（ｂ）に示されたような図形の可視画像が発現する。また、レンチキュラーレンズの中心線８が図５０（ａ）における線Ｌ４と一致し、図５７（ａ）に示された位置にあるとき、中心線８に位置するのは、画線Ｂ’となっている。レンチキュラーレンズの特性によって中心線８に位置する画線Ｂ’が膨張して見えるため、目視では図５７（ｂ）に示されたような図形の可視画像が発現する。つまり、前述の図１８（ａ）又は図１８（ｂ）に示されたような第２の不可視画像が、ネガポジ状のどちらかに見える可視画像となって発現するものである。
【０１１５】
図５０（ａ）における線Ｌ５と各レンズの中心線とが一致するように、レンチキュラーレンズから成る判別具３を印刷物１上の印刷模様２に重ね合わせ、正面から目視で観察した状態を図５８に示す。レンチキュラーレンズの中心線８が図５０（ａ）における線Ｌ５と一致するように図５８（ａ）に示された位置にあるとき、中心線８に位置するのは、画線Ｃとなっている。レンチキュラーレンズの特性によって中心線８に位置する画線Ｃが膨張して見えるため、目視では図５８（ｂ）に示されたような図形の可視画像が発現する。また、レンチキュラーレンズの中心線８が図５０（ａ）における線Ｌ６と一致し、図５９（ａ）に示された位置にあるとき、中心線８に位置するのは、画線Ｃ’となっている。レンチキュラーレンズの特性によって中心線８に位置する画線Ｃ’が膨張して見えるため、目視では図５９（ｂ）に示されたような図形の可視画像が発現する。ここで、画線Ｃと画線Ｃ’とはネガポジの関係にある。よって、上述の図３３（ａ）又は図３３（ｂ）に示されたような第３の不可視画像がネガポジ状のどちらかに見える可視画像となって発現する。
【０１１６】
図６０は、図５０（ｂ）と図５０（ｃ）に示された画線Ａと画線Ａ’の配置構成を任意の図形で現わされている。図６０（ａ）は、画線Ａを任意の文字「ポジＡ」になるよう配置されている。図６０（ｂ）は、画線Ａ’を任意の文字「ネガＡ」になるよう配置されている。図６０（ｃ）は、図６０（ａ）と図６０（ｂ）を重ね合わせた状態になっている。図６０（ｃ）に示された実線「Ａ」は、重ねたことによる隠された図の説明のために示されたもので、印刷物の模様として印刷されるものではない。上述で説明したように、画線Ａの総画線面積と画線Ａ’の総画線面積とが等しく、それぞれ対になっているもの同士がネガポジの関係にあることによって、第１の不可視画像が通常の目視では不可視の状態になっている。この関係を保ちさえすれば、画線Ａと画線Ａ’の配置は、文字や図形等に限定されるものではない。
【０１１７】
また、図６０（ｃ）における線Ｌ１と各レンズの中心線とが一致するように、レンチキュラーレンズから成る判別具３を印刷物１上の印刷模様２に重ね合わせ、正面から目視で観察した状態が図１７（ａ）に示されたような第１の不可視画像９が可視画像となって発現する。
【０１１８】
さらに、図６０（ｃ）における線Ｌ２と各レンズの中心線とが一致するように、レンチキュラーレンズから成る判別具３を印刷物１上の印刷模様２に重ね合わせ、正面から目視で観察した状態が図１７（ｂ）に示されたような第１の不可視画像９が可視画像となって発現する。
【０１１９】
図６１は、図５０（ｄ）と図５０（ｅ）に示された画線Ｂと画線Ｂ’の配置構成を任意の図形で現わされている。図６１（ａ）は、画線Ｂを任意の文字「ポジ桜」になるよう配置されている。図６１（ｂ）は、画線Ｂ’を任意の文字「ネガ桜」になるよう配置されている。図６１（ｃ）は、図６１（ａ）と図６１（ｂ）を重ね合わせた状態になっている。図６１（ｃ）に示された実線「桜」は、重ねたことによる隠された図の説明のために示されたもので、印刷物の模様として印刷されるものではない。上述で説明したように、画線Ｂの総画線面積と画線Ｂ’の総画線面積とが等しく、それぞれ対になっているもの同士がネガポジの関係にあることによって、第２の不可視画像が通常の目視では不可視の状態になっている。この関係を保ちさえすれば、画線Ｂと画線Ｂ’の配置は、文字や図形等に限定されるものではない。
【０１２０】
また、図６１（ｃ）における線Ｌ３と各レンズの中心線とが一致するように、レンチキュラーレンズから成る判別具３を印刷物１上の印刷模様２に重ね合わせ、正面から目視で観察した状態が図１８（ａ）に示されたような第２の不可視画像１０が可視画像となって発現する。
【０１２１】
さらに、図６１（ｃ）における線Ｌ４と各レンズの中心線とが一致するように、レンチキュラーレンズから成る判別具３を印刷物１上の印刷模様２に重ね合わせ、正面から目視で観察した状態が図１８（ｂ）に示されたような第２の不可視画像１０が可視画像となって発現する。
【０１２２】
図６１に示された画線Ｂと画線Ｂ’の画線が太細で階調表現されているが、これについては後述図６４で説明をする。
【０１２３】
図６２は、図５０（ｆ）と図５０（ｇ）に示された画線Ｃと画線Ｃ’の配置構成を任意の図形で現わされている。図６２（ａ）は、画線Ｃを任意の図形「ポジＢ」になるよう配置されている。図６２（ｂ）は、画線Ｃ’を任意の図形「ネガＢ」になるよう配置されている。図６２（ｃ）は、図６２（ａ）と（ｂ）を重ね合わせた状態になっている。図６２（ｃ）に示された実線「Ｂ」は、重ねたことによる隠された図の説明のために示されたもので、印刷物の模様として印刷されるものではない。上述で説明したように、画線Ｃの総画線面積と画線Ｃ’の総画線面積とが等しく、それぞれ対になっているもの同士がネガポジの関係にあることによって、第３の不可視画像が通常の目視では不可視の状態になっている。この関係を保ちさえすれば、画線Ｃと画線Ｃ’の配置は、文字や図形等に限定されるものではない。
【０１２４】
また、図６２（ｃ）における線Ｌ５と各レンズの中心線とが一致するように、レンチキュラーレンズから成る判別具３を印刷物１上の印刷模様２に重ね合わせ、正面から目視で観察した状態が図３３（ａ）に示されたような第３の不可視画像１３が可視画像となって発現する。
【０１２５】
さらに、図６２（ｃ）における線Ｌ６と各レンズの中心線とが一致するように、レンチキュラーレンズから成る判別具３を印刷物１上の印刷模様２に重ね合わせ、正面から目視で観察した状態が図３３（ｂ）に示されたような第３の不可視画像１３が可視画像となって発現する。
【０１２６】
図６３は、図６０（ｃ）、図６１（ｃ）及び図６２（ｃ）を重ね合わせた状態を示されている。図６３（ａ）に、本実施の形態３における印刷物に対する印刷模様の一画線の構成を部分的に拡大して示されている。図６３（ｂ）は、図６３（ａ）の構成を有する画線を印刷物上にマトリクス状に隙間なく、連続的かつ規則的に配置し、図６０（ｃ）、図６１（ｃ）及び図６１（ｃ）の配置構成になるように画線Ａ、画線Ａ’、画線Ｂ、画線Ｂ’、画線Ｃ及び画線Ｃ’を配置されたものであり、図６０（ｃ）、図６１（ｃ）及び図６２（ｃ）を重ね合わせた状態でもある。また、図６３（ｂ）に示された白い実線「Ａ」、白い実線「桜」及び白い実線「Ｂ」は、重ねたことによる隠された図の説明のために示されたもので、印刷物の模様として印刷されるものではない。
【０１２７】
図６４は、本実施の形態３による印刷物を目視により観察した時に視認される模様の構成を示されている。図６４（ａ）は、連続階調におけるグレースケールが示されている。この連続階調におけるグレースケールを図６４（ｂ）に示された縦画線（画線Ｂ）と図６４（ｃ）に示された横画線（画線Ｂ’）にそれぞれ連続階調に伴うよう画線の太細を調整させる。その後、図６４（ｄ）に示された「ポジ桜」と図６４（ｅ）に示された「ネガ桜」を形成させる。これは、図６１（ａ）と図６１（ｂ）と同等である。図６４（ａ）に示された連続階調におけるグレースケールを任意の模様等に変更させることにより、印刷物を目視により観察した時に視認される模様等を自由にさせることができる。
【０１２８】
図６５（ａ）は、図６３（ｂ）に示されたものと同等であり、図６５（ｂ）は、図６５（ａ）の画線構成の一部を拡大された図である。図６５（ｂ）に示された画線Ａ、画線Ｂ及び画線Ｃは、図６０（ａ）の「ポジＡ」、図６１（ａ）の「ポジ桜」及び図６２（ａ）の「ポジＢ」の一部を示され、図６５（ｂ）に示された画線Ａ’、画線Ｂ’及び画線Ｃは、図６０（ｂ）の「ネガＡ」、図６１（ｂ）の「ネガ桜」及び図６２（ａ）の「ポジＢ」の一部を示されている。
【０１２９】
図６６（ａ）は、図６５（ｂ）に示されたものと同等であり、図６６（ｂ）は、図６６（ａ）の画線構成の立体図を示されたものである。図６６（ｂ）に示された盛り高さを有する画線、画線Ａと画線Ａ’、画線Ｂと画線Ｂ’、画線Ｃと画線Ｃ’に関し、縦横の長さがＳである四角形内において、ユニット１６は、縦軸方向に凸の１８０度回転した画線Ａを凸の１８０度回転した左辺の縦の長さＳの６分の１の長さ程度で凸の１８０度回転した突起の部分の縦の長さＳの６分の１の長さ程度で横の長さＳの３分の２の長さの３分の１の長さ程度で凸の１８０度回転した突起の部分の位置は凸の１８０度回転した左辺からＳの３分の１の長さ程度を移動させた位置で凸の１８０度回転した上辺の横の長さＳの３分の２の長さの３分の１の長さを更にＳから引いた長さ程度をユニットの左上付近の端に配置し、横軸方向に長方形の画線Ｂを縦の長さＳの３分の２の長さ程度で横の長さＳの３分の２の長さの３分の１の長さ程度をユニットの右下付近のＳの３分の１程度の位置に配置し、横軸方向に凸の９０度左回転した画線Ｃを凸の９０度左回転した右辺の縦の長さＳの３分の２の長さ程度で凸の９０度左回転した上辺の横の長さＳの６分の１の長さ程度で凸の９０度左回転した突起の部分の縦の長さＳの３分の２の長さの３分の１の長さ程度で横の長さＳの６分の１の長さ程度で凸の９０度左回転した突起の部分の位置は凸の９０度左回転した上辺からＳの３分の２の長さの３分の１の長さ程度を移動させた位置にユニットの左下付近の端に配置されている。また、ユニット１７は、縦軸方向に凸の画線Ａ’を凸の左辺の縦の長さＳの６分の1の長さ程度で凸の突起の部分の縦の長さＳの６分の１の長さ程度で横の長さＳの３分の２の長さの３分の１の長さ程度で凸の突起の部分の位置は凸の左辺からＳの３分の１の長さ程度を移動させた位置で凸の下辺の横の長さＳの３分の２の長さの３分の１の長さを更にＳから引いた長さ程度をユニットの左上付近の端に配置し、縦軸方向に長方形の画線Ｂ’を縦の長さＳの３分の２の長さの３分の１の長さ程度で横の長さＳの３分の２の長さ程度をユニットの右下付近のＳの３分の１程度の位置に配置し、横軸方向に凸の９０度左回転した画線Ｃを凸の９０度左回転した右辺の縦の長さＳの３分の２の長さ程度で凸の９０度左回転した上辺の横の長さＳの６分の１の長さ程度で凸の９０度左回転した突起の部分の縦の長さＳの３分の２の長さの３分の１の長さ程度で横の長さＳの６分の１の長さ程度で凸の９０度左回転した突起の部分の位置は凸の９０度左回転した上辺からＳの３分の２の長さの３分の１の長さ程度を移動させた位置にユニットの左下付近の端に配置されている。ユニット１６に示された盛り高さを有する画線Ａ、画線Ｂ及び画線Ｃは、画線Ｂ’の画線の盛り高さ未満を成す。ユニット１７に示された盛り高さを有する画線Ａ’及び画線Ｃは、画線Ｂ’の画線の盛り高さと同じものを成す。すなわち、盛り高さを有する画線Ａ、画線Ａ’、画線Ｂ、画線Ｃ及び画線Ｃ’は、画線Ｂ’の画線の盛り高さ以下を成す（画線Ａ、画線Ａ’、画線Ｂ、画線Ｃ、画線Ｃ’≦画線Ｂ’）。
【０１３０】
図３２は、本実施の形態３の印刷物１を傾けて目視により観察した時に視認される印刷模様２を示す斜視図である。上述図２に示すように、図３２は、印刷物１を傾けて観察すると、画線Ｂ’は、印刷物１を傾ける角度に対して直交する方向に配列されていることから、インキの盛り高さを有する画線によって各々の非画線部が隠蔽され、高濃度となるが、画線Ｂは、印刷物を傾ける方向に沿って配列されていることから、印刷物を傾けても各々の非画線部の濃度は変化しない。これにより、潜像模様「桜」が顕像となって出現する。潜像模様を成している画線Ｂ、画線Ｂ’は、第２の不可視画像の画線構成とも兼ね備えている。
【０１３１】
図６７は、本実施の形態１、本実施の形態２及び本実施の形態３に示された画線構成のバリエーションを示されている。図６７（ｂ）〜（ｅ）は、図６７（ａ）の画線Ａ、画線Ａ’、画線Ｂ、画線Ｂ’の各画線を個別に分けて示されている。この画線の組合せを図８（ａ）〜（ｄ）に示されている。図８に示された画線の組合せ（ａ）〜（ｄ）を具体的に図６８（ａ）〜（ｄ）に画線の組合せとして示されている。この画線の組合せを一画線の構成とし、印刷物上にマトリックス状に隙間なく、連続的かつ規則的に配置することにより、印刷模様２に施されている不可視画像（任意の図形及び文字等）が形成されている。また、図６７においては、可視画像を形成されていないが、可視画像を構成させる画線の太細で階調を現すことも可能である。例えば、不可視画像を構成する画線Ｂ及びＢ’の画線の太細で階調を現すことである。
【０１３２】
また、図６７（ｂ）、図６７（ｃ）に示された補助画線Ａ１、Ａ２、Ａ’１、Ａ’２は、図６８（ａ）、図６８（ｃ）に示されたように画線Ｂと補助画線Ａ１、Ａ２、Ａ’１、Ａ’２が一直線につながるようにするために、補助画線Ａ１、Ａ２、Ａ’１、Ａ’２を画線Ａ及び画線Ａ’に追加している。それは、図３２に示されたように印刷物１を傾けて観察すると、画線Ｂ’は、印刷物１を傾ける角度に対して直交する方向に配列されていることから、インキの盛り高さを有する画線によって各々の非画線部が隠蔽され、高濃度となるが、画線Ｂは、印刷物を傾ける方向に沿って配列されていることから、印刷物を傾けても各々の非画線部の濃度は変化しない。この原理から、補助画線Ａ１、Ａ２、Ａ’１、Ａ’２が画線Ａ及び画線Ａ’に追加されたことにより画線Ｂと一直線につながるようになり印刷物１を傾けると画線Ｂ’と画線Ｂとの濃度差が大きくなり、潜像模様「桜」がより見え易くなるためである。もし、補助画線Ａ１、Ａ２、Ａ’１、Ａ’２がない場合、画線Ｂ’と画線Ｂとの濃度差が小さいため、潜像模様「桜」が見えづらくなる。
【０１３３】
図６９は、本実施の形態１、本実施の形態２及び本実施の形態３に示された画線構成のバリエーションを示されている。図６９（ｂ）〜（ｇ）は、図６９（ａ）の画線Ａ、画線Ａ’、画線Ｂ、画線Ｂ’、画線Ｃ、画線Ｃ’の各画線を個別に分けて示されている。この画線の組合せを図３５（ａ）〜（ｈ）に示されている。図３５に示された画線の組合せ（ａ）〜（ｈ）を具体的に図７０（ａ）〜（ｈ）に画線の組合せとして示されている。この画線の組合せを一画線の構成とし、印刷物上にマトリックス状に隙間なく、連続的かつ規則的に配置することにより、印刷模様２に施されている不可視画像（任意の図形及び文字等）と可視画像（デザイン：模様）が形成されている。
【０１３４】
また、図６９（ｂ）、図６９（ｃ）に示された補助画線Ａ１、Ａ’１は、図７０（ａ）、図７０（ｂ）、図７０（ｅ）、図７０（ｆ）に示されたように画線Ｂと補助画線Ａ１、Ａ’１が一直線につながるようにするために、補補助画線Ａ１、Ａ’１を画線Ａ及び画線Ａ’に追加している。さらに、図６９（ｆ）、図６９（ｇ）に示された補助画線Ｃ１、Ｃ’１は、図７０（ｃ）、図７０（ｄ）、図７０（ｇ）、図７０（ｈ）に示されたように画線Ｂ’と補助画線Ｃ１、Ｃ’１が一直線につながるようにするために、補助画線Ｃ１、Ｃ’１を画線Ｃ及び画線Ｃ’に追加している。それは、図３２に示されたように印刷物１を傾けて観察すると、画線Ｂ’は、印刷物１を傾ける角度に対して直交する方向に配列されていることから、インキの盛り高さを有する画線によって各々の非画線部が隠蔽され、高濃度となるが、画線Ｂは、印刷物を傾ける方向に沿って配列されていることから、印刷物を傾けても各々の非画線部の濃度は変化しない。この原理から、補助画線Ａ１、Ａ’１、が画線Ａ及び画線Ａ’に追加されたことにより画線Ｂと一直線につながるようになり印刷物１を傾けると画線Ｂ’と画線Ｂとの濃度差が大きくなるのと、補助画線Ｃ１、Ｃ’１が画線Ｃ及び画線Ｃ’に追加されたことにより画線Ｂ’と一直線につながるようになり印刷物１を傾けると画線Ｂ’と画線Ｂとの濃度差が大きくなり潜像模様「桜」がより見え易くなるためである。もし、補助画線Ａ１、Ａ’１、Ｃ１、Ｃ’１がない場合、画線Ｂ’と画線Ｂとの濃度差が小さいため、潜像模様「桜」が見えづらくなる。
【０１３５】
本発明の偽造防止印刷物において、第１の画線及び第２の画線の角度差が０±１０度であることが好ましく、第３の画線及び第４の画線の角度差が９０±１０度であることが好ましく、第５の画線及び第６の画線の角度差が０±１０度であることが好ましい。また、第１の画線と第３の画線及び第２の画線と第３の画線における各々の角度差が９０±１５度であることが好ましく、第１の画線と第４の画線及び第２の画線と第４の画線における各々の角度差が０±１０度であることが好ましく、第５の画線と第４の画線及び第６の画線と第４の画線における各々の角度差が９０±１５度であることが好ましく、第５の画線と第３の画線及び第６の画線と第３の画線における各々の角度差が０±１０度であることが好ましい。
【０１３６】
本発明の偽造防止印刷物の印刷模様は、第３の画線及び第４の画線の少なくとも一方の画線の太細で階調を形成することができる。また、ユニット内の第１の画線、第２の画線、第３の画線、第４の画線、第５の画線及び第６の画線が形成されていない箇所に画線を形成することで、印刷模様に階調を施すことも可能である。
【０１３７】
本発明の偽造防止印刷物の印刷模様を観察した場合に第１の不可視画像の不可視化及び印刷模様に判別具を重ねた場合の第１の不可視画像の視認性を考慮すると第１の画線と第２の画線の面積は同一であることが好ましく、第３の不可視画像の不可視化及び印刷模様に判別具を重ねた場合の第３の不可視画像の視認性を考慮すると第５の画線と第６の画線の面積は同一であることが好ましい。さらに、第２の不可視画像の不可視化及び基材を傾けて観察した場合の第２の不可視画像の視認性を考慮すると第３の画線と第４の画線の面積は同一であることが好ましい。本発明の偽造防止印刷物の第１の画線、第２の画線、第３の画線、第４の画線、第５の画線及び第６の画線は、長手方向及び短辺方向を有する画線であれば特に限定されることはないが、長方形、楕円等の形状が好ましい。また、第１の画線、第２の画線、第３の画線、第４の画線、第５の画線及び第６の画線は、各々それぞれの画線が重なる場合と重ならない場合のどちらか又は両方で形成することができる。さらに、第１の画線、第２の画線、第５の画線及び第６の画線は、各々それぞれの画線が上記記載の補助画線を有する場合と有しない場合のどちらか又は両方で形成することができる。
【０１３８】
本発明の偽造防止印刷物の第１の不可視画像を形成する第１の画線、第２の画線は横方向で説明しており、第３の不可視画像を形成する第５の画線、第６の画線は、縦方向で説明しているが、本発明はこれに限定されることなく、第１の画線と第２の画線を形成する第１の方向及び第５の画線と第６の画線を形成する第４の方向の角度差は、４５度〜１３５度の範囲内で形成することが可能である。
【０１３９】
本発明の偽造防止印刷物の第２の不可視画像を形成する第３の画線、第４の画線は、縦横方向で説明しているが、本発明はこれに限定されることなく、第３の画線を形成する第２の方向及び第４の画線を形成する第３の方向の角度差は、４５度〜１３５度の範囲内で形成することができる。さらに、好ましくは、第２の方向及び前記第３の方向の角度差は、９０度である。
【０１４０】
本発明の偽造防止印刷物の印刷方式は、盛り上がりを有する画線が形成可能であれば、特に限定されないが、凹版印刷、スクリーン印刷及びインクジェット印刷から選択されるいずれかによって形成することが好ましい。
【符号の説明】
【０１４１】
１、１’          印刷物
２、２’          印刷模様
２ａ’、２ｂ’、Ａ、Ａ’、Ｂ、Ｂ’、Ｃ、Ｃ’、Ｄ、Ｅ          画線
３、３’           判別具
４、４’、５、５’          模様
６’、７’、９、１０、１３          不可視画像
８、８’      中心線
１１、１２、１４、１５、１６、１７          ユニット
Ｌ１、Ｌ２、Ｌ３、Ｌ４、Ｌ５、Ｌ６          線
Ｓ          縦横の寸法
Ａ１、Ａ２、Ａ’１、Ａ’２、Ｃ１、Ｃ’１          補助画線
【図１】
0006593586.tif 000002
【図２】
0006593586.tif 000003
【図３】
0006593586.tif 000004
【図４】
0006593586.tif 000005
【図５】
0006593586.tif 000006
【図６】
0006593586.tif 000007
【図７】
0006593586.tif 000008
【図８】
0006593586.tif 000009
【図９】
0006593586.tif 000010
【図１０】
0006593586.tif 000011
【図１１】
0006593586.tif 000012
【図１２】
0006593586.tif 000013
【図１３】
0006593586.tif 000014
【図１４】
0006593586.tif 000015
【図１５】
0006593586.tif 000016
【図１６】
0006593586.tif 000017
【図１７】
0006593586.tif 000018
【図１８】
0006593586.tif 000019
【図１９】
0006593586.tif 000020
【図２０】
0006593586.tif 000021
【図２１】
0006593586.tif 000022
【図２２】
0006593586.tif 000023
【図２３】
0006593586.tif 000024
【図２４】
0006593586.tif 000025
【図２５】
0006593586.tif 000026
【図２６】
0006593586.tif 000027
【図２７】
0006593586.tif 000028
【図２８】
0006593586.tif 000029
【図２９】
0006593586.tif 000030
【図３０】
0006593586.tif 000031
【図３１】
0006593586.tif 000032
【図３２】
0006593586.tif 000033
【図３３】
0006593586.tif 000034
【図３４】
0006593586.tif 000035
【図３５】
0006593586.tif 000036
【図３６】
0006593586.tif 000037
【図３７】
0006593586.tif 000038
【図３８】
0006593586.tif 000039
【図３９】
0006593586.tif 000040
【図４０】
0006593586.tif 000041
【図４１】
0006593586.tif 000042
【図４２】
0006593586.tif 000043
【図４３】
0006593586.tif 000044
【図４４】
0006593586.tif 000045
【図４５】
0006593586.tif 000046
【図４６】
0006593586.tif 000047
【図４７】
0006593586.tif 000048
【図４８】
0006593586.tif 000049
【図４９】
0006593586.tif 000050
【図５０】
0006593586.tif 000051
【図５１】
0006593586.tif 000052
【図５２】
0006593586.tif 000053
【図５３】
0006593586.tif 000054
【図５４】
0006593586.tif 000055
【図５５】
0006593586.tif 000056
【図５６】
0006593586.tif 000057
【図５７】
0006593586.tif 000058
【図５８】
0006593586.tif 000059
【図５９】
0006593586.tif 000060
【図６０】
0006593586.tif 000061
【図６１】
0006593586.tif 000062
【図６２】
0006593586.tif 000063
【図６３】
0006593586.tif 000064
【図６４】
0006593586.tif 000065
【図６５】
0006593586.tif 000066
【図６６】
0006593586.tif 000067
【図６７】
0006593586.tif 000068
【図６８】
0006593586.tif 000069
【図６９】
0006593586.tif 000070
【図７０】
0006593586.tif 000071